(57)【要約】【課題】ＩＰ電話において、着信側のＶｏＩＰ通信装置で通話品質の劣化を検出して着信側のＶｏＩＰ通信装置がＰＳＴＮを介した電話呼を発信すると、着信側のＶｏＩＰ通信装置に対してＰＳＴＮを介した電話呼の課金がされてしまう。【解決手段】通信中に発着信の両ＶｏＩＰ通信装置間で制御が可能な情報を含むＩＰフレームを送受信し、着信側のＶｏＩＰ通信装置が通話品質の劣化を検出した場合、ＩＰ網による通話からＰＳＴＮを介した通話へ切り替えるように指示する切り替え要求情報を含むＩＰフレームを、発信側のＶｏＩＰ通信装置に送信する。この切り替え要求フレームを受信した発信側のＶｏＩＰ通信装置がＰＳＴＮを介した電話呼を着信側のＶｏＩＰ通信装置へ発信する。【選択図】      図４
2008160308.tif 000002
【特許請求の範囲】
【請求項１】
アナログ音声信号と音声パケットを相互変換してＶｏＩＰ（Ｖｏｉｃｅ  ｏｖｅｒ  Ｉｎｔｅｒｎｅｔ  Ｐｒｏｔｏｃｏｌ）通信によりＩＰ（Ｉｎｔｅｒｎｅｔ  Ｐｒｏｔｏｃｏｌ）網を介した音声通信を実現するＶｏＩＰ通信装置を用いたＩＰ通話を実行中に、前記ＩＰ網から到達するＩＰフレームの受信状況を監視して検出した前記ＩＰ通話の通話品質の劣化に起因して、前記ＩＰ通話をＰＳＴＮ（Ｐｕｂｌｉｃ  Ｓｗｉｔｃｈｅｄ  Ｔｅｌｅｐｈｏｎｅ  Ｎｅｔｗｏｒｋ）を介した音声通信であるＰＳＴＮ通話に切り替えて通信を継続する通信システムにおいて、
前記ＩＰ通話呼を発呼した発信側の前記ＶｏＩＰ通信装置と、前記ＩＰ通話呼が着信した着信側の前記ＶｏＩＰ通信装置のそれぞれは、
前記ＩＰ通話中に前記発着信の両ＶｏＩＰ通信装置間で送受信が可能な制御情報を含む制御用ＩＰフレームを送受信するとともに、自装置の前記ＶｏＩＰ通信装置の動作制御を前記制御用ＩＰフレームの制御情報に基づいて実行する制御手段と、前記制御用ＩＰフレームを用いて相手装置との間で送受信した、それぞれの前記ＶｏＩＰ通信装置に付与された前記ＩＰ通話用の電話番号及び前記ＰＳＴＮ通話用の電話番号を、相手装置から受信した相手装置の前記ＩＰ通話用の電話番号及び前記ＰＳＴＮ通話用の電話番号を、相手装置のＩＰアドレスとそれぞれ対応させて記憶する記憶手段とを備え、
前記通話品質の劣化を検出した前記着信側のＶｏＩＰ通信装置が送信する、前記ＩＰ通話を前記ＰＳＴＮ通話へ切り替えるように指示する切り替え要求情報を含む前記制御用ＩＰフレーム（切り替え要求フレーム）に基づき、前記発信側のＶｏＩＰ通信装置が、前記記憶手段に記憶された前記着信側のＶｏＩＰ通信装置のＩＰアドレスに対応する前記ＰＳＴＮ通話用の電話番号を用いて、前記ＰＳＴＮを介した電話呼を前記着信側のＶｏＩＰ通信装置へ発信することを特徴とする通信システム。
【請求項２】
前記通話品質の劣化を検出した前記発信側のＶｏＩＰ通信装置は、前記ＩＰ通話を前記ＰＳＴＮ通話へ切り替える準備を行うよう前記着信側のＶｏＩＰ通信装置に通知する切り替え通知情報を含む前記制御用ＩＰフレーム（切り替え通知フレーム）を前記着信側のＶｏＩＰ通信装置に送信し、前記着信側のＶｏＩＰ通信装置から、前記ＩＰ通話を前記ＰＳＴＮ通話へ切り替える準備が完了した旨を伝える応答情報を含む前記制御用ＩＰフレーム（切り替え通知応答フレーム）を受信すると、前記記憶手段に記憶された前記着信側のＶｏＩＰ通信装置のＩＰアドレスに対応する前記ＰＳＴＮ通話用の電話番号を用いて、前記ＰＳＴＮを介した電話呼を前記着信側のＶｏＩＰ通信装置へ発信することを特徴とする請求項１記載の通信システム。
【請求項３】
前記着信側のＶｏＩＰ通信装置は、前記ＰＳＴＮを介した電話呼の着信を検出すると、当該着信呼を受け付けた旨を通知する情報を含む前記制御用ＩＰフレーム（受付完了通知フレーム）を前記発信側のＶｏＩＰ通信装置に送信し、前記受付完了通知フレームを送信してから所定のタイミングの後に、前記着信側のＶｏＩＰ通信装置における通話回路を前記ＩＰ通話から前記ＰＳＴＮ通話へ切り替え、
前記発信側のＶｏＩＰ通信装置は、前記受付完了通知フレームを受信すると前記発信側のＶｏＩＰ通信装置における通話回路を前記ＩＰ通話から前記ＰＳＴＮ通話へ切り替えることを特徴とする請求項１又は請求項２記載の通信システム。
【請求項４】
前記着信側のＶｏＩＰ通信装置は、前記ＰＳＴＮを介した電話呼が着信した時に、前記記憶手段に記憶された前記発信側のＶｏＩＰ通信装置のＩＰアドレスに対応する前記ＰＳＴＮ通話用の電話番号を発信者情報に含む前記ＰＳＴＮを介した電話呼のみを受け入れることを特徴とする請求項１乃至請求項３のいずれかの請求項記載の通信システム。
【請求項５】
それぞれの前記発信側のＶｏＩＰ通信装置と前記着信側のＶｏＩＰ通信装置は、前記ＩＰ電話を前記ＰＳＴＮ通話に切り替えて継続している通話の送話アナログ音声信号をモニターし、当該音声信号を変換した音声パケットを含むＩＰフレームを前記ＩＰ網を介して前記発信側のＶｏＩＰ通信装置と前記着信側のＶｏＩＰ通信装置の間で送受信して、前記ＩＰ網の通信品質を監視する切替え後ＩＰ網品質監視手段を備えたことを特徴とする請求項１乃至請求項４のいずれかの請求項記載の通信システム。
【請求項６】
前記着信側のＶｏＩＰ通信装置は、前記着信側のＶｏＩＰ通信装置における通話品質の劣化に起因して前記ＩＰ電話を前記ＰＳＴＮ通話に切り替えた切り替え処理が実行された場合で、前記着信側のＶｏＩＰ通信装置が前記ＩＰ網の通信品質の改善を検出した場合に、前記ＰＳＴＮ通話を前記ＩＰ通話に切り戻す処理の実行を要求する情報を含む前記制御用ＩＰフレーム（切り戻し要求フレーム）を前記発信側のＶｏＩＰ通信装置に送信し、
前記発信側のＶｏＩＰ通信装置は、前記発信側のＶｏＩＰ通信装置における通話品質の劣化に起因して前記切り替え処理が実行された場合で、前記発信側のＶｏＩＰ通信装置が前記ＩＰ網の通信品質の改善を検出した場合に、前記ＰＳＴＮ通話を前記ＩＰ通話に切り戻す準備を行うよう前記着信側のＶｏＩＰ通信装置に通知する情報を含む前記制御用ＩＰフレーム（切り戻し通知フレーム）を前記着信側のＶｏＩＰ通信装置に送信する
ことを特徴とする請求項５記載の通信システム。
【請求項７】
前記発信側のＶｏＩＰ通信装置は、前記切り戻し要求フレームを受信すると、前記発信側のＶｏＩＰ通信装置における前記ＩＰ網の通信品質の劣化を検出していないことを確認し、前記切り戻し通知フレームを前記着信側のＶｏＩＰ通信装置に送信し、前記着信側のＶｏＩＰ通信装置から、前記ＰＳＴＮ通話を前記ＩＰ通話へ切り戻す準備が完了した旨を伝える応答情報を含む前記制御用ＩＰフレーム（切り戻し通知応答フレーム）を受信すると、前記ＰＳＴＮ通話を前記ＩＰ通話へ切り戻すことを特徴とする請求項６記載の通信システム。
【請求項８】
前記発信側のＶｏＩＰ通信装置は、前記切り戻し要求フレームを受信したとき、前記発信側のＶｏＩＰ通信装置における前記ＩＰ網の通信品質の劣化を検出した場合には、前記ＰＳＴＮ通話を前記ＩＰ通話へ切り戻す処理を保留する旨を通知する情報を含む前記制御用ＩＰフレーム（切り戻し保留通知フレーム）を前記着信側のＶｏＩＰ通信装置に送信し、その後、前記発信側のＶｏＩＰ通信装置が前記ＩＰ網の通信品質の劣化の改善を検出したときに、前記切り戻し通知フレームを前記着信側のＶｏＩＰ通信装置に送信することを特徴とする請求項７記載の通信システム。
【請求項９】
前記発信側のＶｏＩＰ通信装置は、前記切り戻し保留通知フレームを前記着信側のＶｏＩＰ通信装置に送信した以降で前記切り戻し通知フレームを前記着信側のＶｏＩＰ通信装置に送信する前に、前記着信側のＶｏＩＰ通信装置が前記ＩＰ網の通信品質の劣化を検出したことに起因して、前記ＰＳＴＮ通話を前記ＩＰ通話に切り戻す処理の中止を報告する情報を含む前記制御用ＩＰフレーム（通信品質劣化報告フレーム）を受信すると、当該切り戻し処理の実行を中止することを特徴とする請求項８記載の通信システム。
【請求項１０】
前記発信側のＶｏＩＰ通信装置は、前記切り替え処理が前記発信側のＶｏＩＰ通信装置における通話品質の劣化に起因して実行された場合において前記発信側のＶｏＩＰ通信装置が送信した前記切り戻し通知フレームに対して、前記着信側のＶｏＩＰ通信装置が前記着信側のＶｏＩＰ通信装置において前記ＩＰ網の通信品質の劣化を検出していないことを確認して送信した、前記切り戻し通知応答フレームを受信すると、前記ＰＳＴＮ通話を前記ＩＰ通話へ切り戻す処理を実行することを特徴とする請求項６記載の通信システム。
【請求項１１】
前記発信側のＶｏＩＰ通信装置は、前記切り戻し通知フレームに対して、前記着信側のＶｏＩＰ通信装置が前記ＩＰ網の通信品質の劣化を検出した場合に送信する、前記ＰＳＴＮ通話を前記ＩＰ通話へ切り戻す処理を保留する旨を要求する情報を含む前記制御用ＩＰフレーム（切り戻し保留要求フレーム）を受信すると、前記切り戻し処理を保留し、その後、前記着信側のＶｏＩＰ通信装置が前記ＩＰ網の通信品質の劣化の改善を検出して送信する、前記切り戻し要求フレームを受信すると、前記ＰＳＴＮ通話を前記ＩＰ通話へ切り戻す処理を実行することを特徴とする請求項１０記載の通信システム。
【請求項１２】
前記発信側のＶｏＩＰ通信装置は、前記着信側のＶｏＩＰ通信装置から前記切り戻し保留要求フレームを受信した以降で前記切り戻し要求フレームを受信する前に、前記発信側のＶｏＩＰ通信装置が前記ＩＰ網の通信品質の劣化を検出すると、前記ＰＳＴＮ通話を前記ＩＰ通話に切り戻す処理の実行を中止し、前記通信品質劣化報告フレームを前記着信側のＶｏＩＰ通信装置に送信することを特徴とする請求項１１記載の通信システム。
【請求項１３】
アナログ音声信号と音声パケットを相互変換してＶｏＩＰ（Ｖｏｉｃｅ  ｏｖｅｒ  Ｉｎｔｅｒｎｅｔ  Ｐｒｏｔｏｃｏｌ）通信によりＩＰ（Ｉｎｔｅｒｎｅｔ  Ｐｒｏｔｏｃｏｌ）網を介した音声通信であるＩＰ通話を行うとともに、前記ＩＰ網から到達するＩＰフレームの受信状況を監視して、前記ＩＰ通話の通話品質の劣化を検出すると前記ＩＰ通話をＰＳＴＮ（Ｐｕｂｌｉｃ  Ｓｗｉｔｃｈｅｄ  Ｔｅｌｅｐｈｏｎｅ  Ｎｅｔｗｏｒｋ）を介した音声通信であるＰＳＴＮ通話に切り替えて通信を継続するＶｏＩＰ通信装置において、
前記ＩＰ通話中に通話相手先の前記ＶｏＩＰ通信装置との間で送受信が可能な制御情報を含む制御用ＩＰフレームを送受信するとともに、前記ＶｏＩＰ通信装置の動作制御を前記制御用ＩＰフレームの制御情報に基づいて実行する制御用ＩＰフレーム送受信制御手段と、
前記制御用ＩＰフレームを用いて通話相手先の前記ＶｏＩＰ通信装置から受信した、通話相手先の前記ＶｏＩＰ通信装置に付与された前記ＩＰ通話用の電話番号及び前記ＰＳＴＮ通話用の電話番号を、通話相手先の前記ＶｏＩＰ通信装置のＩＰアドレスとそれぞれ対応させて記憶するアドレス記憶手段と、
前記ＩＰ網とのインターフェースと前記ＰＳＴＮとのインターフェースの切り替え制御を行う回線切替手段とを備え、
前記通話品質の劣化を検出した前記ＶｏＩＰ通信装置が、前記ＩＰ通話呼が着信した着信側のＶｏＩＰ通信装置の場合、
前記着信側のＶｏＩＰ通信装置の前記制御用ＩＰフレーム送受信制御手段は、前記ＩＰ通話を前記ＰＳＴＮ通話へ切り替えるように指示する切り替え要求情報を含む前記制御用ＩＰフレーム（切り替え要求フレーム）を通話相手先の前記ＶｏＩＰ通信装置に送信し、
前記ＩＰ通話呼を発呼した発信側のＶｏＩＰ通信装置の前記制御用ＩＰフレーム送受信制御手段は、前記切り替え要求フレームを受信すると、前記アドレス記憶手段に記憶された前記着信側のＶｏＩＰ通信装置のＩＰアドレスに対応する前記ＰＳＴＮ通話用の電話番号を用いて、前記ＰＳＴＮを介した電話呼を発信し、
前記通話品質の劣化を検出した前記ＶｏＩＰ通信装置が、前記発信側のＶｏＩＰ通信装置の場合、
前記発信側のＶｏＩＰ通信装置の前記制御用ＩＰフレーム送受信制御手段は、前記ＩＰ通話を前記ＰＳＴＮ通話へ切り替える準備を行うよう前記着信側のＶｏＩＰ通信装置に通知する切り替え通知情報を含む前記制御用ＩＰフレーム（切り替え通知フレーム）を前記着信側のＶｏＩＰ通信装置に送信し、前記着信側のＶｏＩＰ通信装置から、前記ＩＰ通話を前記ＰＳＴＮ通話へ切り替える準備が完了した旨を伝える応答情報を含む前記制御用ＩＰフレーム（切り替え通知応答フレーム）を受信すると、前記アドレス記憶手段に記憶された前記着信側のＶｏＩＰ通信装置のＩＰアドレスに対応する前記ＰＳＴＮ通話用の電話番号を用いて、前記ＰＳＴＮを介した電話呼を発信する
ことを特徴とするＶｏＩＰ通信装置。
【請求項１４】
前記着信側のＶｏＩＰ通信装置の前記制御用ＩＰフレーム送受信制御手段は、前記ＰＳＴＮを介した電話呼の着信を検出すると、当該着信呼を受け付けた旨を通知する情報を含む前記制御用ＩＰフレーム（受付完了通知フレーム）を前記発信側のＶｏＩＰ通信装置に送信し、前記受付完了通知フレームを送信してから所定のタイミングの後に、前記着信側のＶｏＩＰ通信装置の前記回線切替手段における通話回路を前記ＩＰ通話から前記ＰＳＴＮ通話へ切り替え、
前記発信側のＶｏＩＰ通信装置は、前記受付完了通知フレームを受信すると前記発信側のＶｏＩＰ通信装置の前記回線切替手段における通話回路を前記ＩＰ通話から前記ＰＳＴＮ通話へ切り替えることを特徴とする請求項１３記載のＶｏＩＰ通信装置。
【請求項１５】
前記ＶｏＩＰ通信装置は、前記ＩＰ通話を前記ＰＳＴＮ通話に切り替えて通信を継続する際に前記ＰＳＴＮを介した電話呼が着信した時、前記アドレス記憶手段に記憶された通話相手先の前記ＶｏＩＰ通信装置のＩＰアドレスに対応する前記ＰＳＴＮ通話用の電話番号を発信者情報に含む前記ＰＳＴＮを介した電話呼のみの着信を受け付けるＰＳＴＮ回線制御手段を更に備えることを特徴とする請求項１３又は請求項１４記載のＶｏＩＰ通信装置。
【請求項１６】
前記ＶｏＩＰ通信装置は、前記ＩＰ電話を前記ＰＳＴＮ通話に切り替えて継続している通話の送話アナログ音声信号をモニターし、当該音声信号を変換した音声パケットを含むＩＰフレームを前記ＩＰ網を介して通話相手の前記ＶｏＩＰ通信装置に送信し、通話相手の前記ＶｏＩＰ通信装置から到達した当該音声パケットを含むＩＰフレームの受信状況に基づいて前記ＩＰ網の通信品質を監視する、切替え後ＩＰ網品質監視手段を更に備えることを特徴とする請求項１５記載のＶｏＩＰ通信装置。
【請求項１７】
前記着信側のＶｏＩＰ通信装置における前記通話品質の劣化検出に起因して前記ＩＰ通話から前記ＰＳＴＮ通話への切り替えが行われた場合で、前記着信側のＶｏＩＰ通信装置の前記切替え後ＩＰ網品質監視手段が前記ＩＰ網の通信品質の改善を検出した場合において、
前記着信側のＶｏＩＰ通信装置の前記制御用ＩＰフレーム送受信制御手段は、
前記ＰＳＴＮ通話を前記ＩＰ通話に切り戻す処理の実行を要求する情報を含む前記制御用ＩＰフレーム（切り戻し要求フレーム）を前記発信側のＶｏＩＰ通信装置に送信し、
前記発信側のＶｏＩＰ通信装置の前記ＰＳＴＮ通話中ＩＰ網通信品質監視手段が前記ＩＰ網の通信品質の劣化を検出していないことを確認して、前記発信側のＶｏＩＰ通信装置が送信する前記ＰＳＴＮ通話を前記ＩＰ通話へ切り戻す準備を行うように通知する情報を含む前記制御用ＩＰフレーム（切り戻し通知フレーム）を受信すると、前記ＰＳＴＮ通話を前記ＩＰ通話へ切り戻す準備が完了した旨を伝える応答情報を含む前記制御用ＩＰフレーム（切り戻し通知応答フレーム）を前記発信側のＶｏＩＰ通信装置に送信するとともに、
当該切り戻し通知応答フレームの送信から所定のタイミングの後に前記回線切替手段における通話回路を前記ＰＳＴＮ通話から前記ＩＰ通話へ切り戻し、
前記発信側のＶｏＩＰ通信装置の前記制御用ＩＰフレーム送受信制御手段は、
前記切り戻し通知応答フレームを前記着信側のＶｏＩＰ通信装置から受信すると、前記ＰＳＴＮ通話を切断し、前記回線切替手段における通話回路を前記ＰＳＴＮ通話から前記ＩＰ通話へ切り戻す
ことを特徴とする請求項１６記載のＶｏＩＰ通信装置。
【請求項１８】
前記着信側のＶｏＩＰ通信装置の前記制御用ＩＰフレーム送受信制御手段は、前記発信側のＶｏＩＰ通信装置に前記切り戻し要求フレームを送信した後に、前記発信側のＶｏＩＰ通信装置の前記切替え後ＩＰ網品質監視手段が前記ＩＰ網の通信品質の劣化を検出した場合に前記発信側のＶｏＩＰ通信装置が送信する、前記ＰＳＴＮ通話を前記ＩＰ通話へ切り戻す処理を保留する旨を通知する情報を含む制御用ＩＰフレーム（切り戻し保留通知フレーム）を受信すると、前記発信側のＶｏＩＰ通信装置から前記切り戻し通知フレームを受信するまで処理を保留することを特徴とする請求項１７記載のＶｏＩＰ通信装置。
【請求項１９】
前記着信側のＶｏＩＰ通信装置の前記制御用ＩＰフレーム送受信制御手段は、前記発信側のＶｏＩＰ通信装置から前記切り戻し保留通知フレームを受信した以降で前記切り戻し通知フレームを受信する前に、前記着信側のＶｏＩＰ通信装置の前記切替え後ＩＰ網品質監視手段が前記ＩＰ網の通信品質の劣化を検出すると、前記ＰＳＴＮ通話を前記ＩＰ通話に切り戻す処理の中止を報告する情報を含む制御用ＩＰフレーム（通信品質劣化報告フレーム）を前記発信側のＶｏＩＰ通信装置に送信し、当該切り戻し処理を中止することを特徴とする請求項１８記載のＶｏＩＰ通信装置。
【請求項２０】
前記発信側のＶｏＩＰ通信装置における前記通話品質の劣化検出に起因して前記ＩＰ通話から前記ＰＳＴＮ通話への切り替えが行われた場合で、前記発信側のＶｏＩＰ通信装置の前記切替え後ＩＰ網品質監視手段が前記ＩＰ網の通信品質の改善を検出した場合において、
前記発信側のＶｏＩＰ通信装置の前記制御用ＩＰフレーム送受信制御手段は、
前記切り戻し通知フレームを前記着信側のＶｏＩＰ通信装置に送信し、
前記着信側のＶｏＩＰ通信装置が、前記着信側のＶｏＩＰ通信装置の前記切替え後ＩＰ網品質監視手段で前記ＩＰ網の通信品質の劣化を検出していないことを確認して送信する、前記切り戻し通知応答フレームを受信すると、前記ＰＳＴＮ通話を切断し、前記回線切替手段における通話回路を前記ＰＳＴＮ通話から前記ＩＰ通話へ切り戻し、
前記着信側のＶｏＩＰ通信装置の前記制御用ＩＰフレーム送受信制御手段は、
前記切り戻し通知応答フレームの送信から所定のタイミングの後に前記回線切替手段における通話回路を前記ＰＳＴＮ通話から前記ＩＰ通話へ切り戻す
ことを特徴とする請求項１６記載のＶｏＩＰ通信装置。
【請求項２１】
前記発信側のＶｏＩＰ通信装置の前記制御用ＩＰフレーム送受信制御手段は、前記着信側のＶｏＩＰ通信装置に前記切り戻し通知フレームを送信した後に、前記着信側のＶｏＩＰ通信装置の前記切替え後ＩＰ網品質監視手段が前記ＩＰ網の通信品質の劣化を検出した場合に前記着信側のＶｏＩＰ通信装置が送信する、前記ＰＳＴＮ通話を前記ＩＰ通話へ切り戻す処理を保留する旨を通知する情報を含む前記制御用ＩＰフレーム（切り戻し保留要求フレーム）を受信すると、前記着信側のＶｏＩＰ通信装置から前記切り戻し通知応答フレームを受信するまで処理を保留することを特徴とする請求項２０記載のＶｏＩＰ通信装置。
【請求項２２】
前記発信側のＶｏＩＰ通信装置の前記制御用ＩＰフレーム送受信制御手段は、前記着信側のＶｏＩＰ通信装置から前記切り戻し保留要求フレームを受信した以降で前記切り戻し通知応答フレームを受信する前に、前記発信側のＶｏＩＰ通信装置の前記切替え後ＩＰ網品質監視手段が前記ＩＰ網の通信品質の劣化を検出すると、前記通信品質劣化報告フレームを前記着信側のＶｏＩＰ通信装置に送信し、当該切り戻し処理を中止することを特徴とする請求項２１記載のＶｏＩＰ通信装置。
【請求項２３】
アナログ音声信号と音声パケットを相互変換してＶｏＩＰ（Ｖｏｉｃｅ  ｏｖｅｒ  Ｉｎｔｅｒｎｅｔ  Ｐｒｏｔｏｃｏｌ）通信によりＩＰ（Ｉｎｔｅｒｎｅｔ  Ｐｒｏｔｏｃｏｌ）網を介した音声通信を実現するＶｏＩＰ通信装置を用いたＩＰ通話を実行中に、前記ＩＰ網から到達するＩＰフレームの受信状況を監視して検出した前記ＩＰ通話の通話品質の劣化に起因して、前記ＩＰ通話をＰＳＴＮ（Ｐｕｂｌｉｃ  Ｓｗｉｔｃｈｅｄ  Ｔｅｌｅｐｈｏｎｅ  Ｎｅｔｗｏｒｋ）を介した音声通信であるＰＳＴＮ通話に切り替えて通信を継続する通信方法において、
前記ＩＰ通話呼を発呼した発信側の前記ＶｏＩＰ通信装置と、前記ＩＰ通話呼が着信した着信側の前記ＶｏＩＰ通信装置のそれぞれが、前記ＩＰ通話中に前記発着信の両ＶｏＩＰ通信装置間で送受信が可能な制御情報を含む制御用ＩＰフレームを用いて、それぞれの前記ＶｏＩＰ通信装置に付与された前記ＩＰ通話用の電話番号及び前記ＰＳＴＮ通話用の電話番号を、それぞれ相手装置に送信し、
相手装置から受信した相手装置の前記前記ＩＰ通話用の電話番号及び前記ＰＳＴＮ通話用の電話番号を、相手装置のＩＰアドレスとそれぞれ対応させて記憶し、
前記ＩＰ通話中に前記着信側のＶｏＩＰ通信装置が通話品質の劣化を検出した場合、
前記着信側のＶｏＩＰ通信装置が、前記ＩＰ通話を前記ＰＳＴＮ通話へ切り替えるように指示する切り替え要求情報を含む前記制御用ＩＰフレーム（切り替え要求フレーム）を前記発信側のＶｏＩＰ通信装置に送信し、
前記発信側のＶｏＩＰ通信装置が、前記切り替え要求フレームを受信すると、前記記憶した前記着信側のＶｏＩＰ通信装置のＩＰアドレスに対応する前記ＰＳＴＮ通話用の電話番号を用いて、前記ＰＳＴＮを介した電話呼を前記発信側のＶｏＩＰ通信装置から前記着信側のＶｏＩＰ通信装置へ発信する
ことを特徴とする通信方法。
【請求項２４】
前記ＩＰ通話中に前記発信側のＶｏＩＰ通信装置が前記通話品質の劣化を検出した場合、
前記発信側のＶｏＩＰ通信装置が、前記ＩＰ通話を前記ＰＳＴＮ通話へ切り替える準備を行うよう前記着信側のＶｏＩＰ通信装置に通知する切り替え通知情報を含む前記制御用ＩＰフレーム（切り替え通知フレーム）を前記着信側のＶｏＩＰ通信装置に送信し、
前記着信側のＶｏＩＰ通信装置が、前記ＩＰ通話を前記ＰＳＴＮ通話へ切り替える準備が完了した旨を伝える応答情報を含む前記制御用ＩＰフレーム（切り替え通知応答フレーム）を送信し、
前記発信側のＶｏＩＰ通信装置が、前記記憶された前記着信側のＶｏＩＰ通信装置のＩＰアドレスに対応する前記ＰＳＴＮ通話用の電話番号を用いて、前記ＰＳＴＮを介した電話呼を前記着信側のＶｏＩＰ通信装置へ発信することを特徴とする請求項２３記載の通信方法。
【請求項２５】
前記ＰＳＴＮを介した電話呼が着信した時に前記着信側のＶｏＩＰ通信装置が、
前記記憶した前記発信側のＶｏＩＰ通信装置のＩＰアドレスに対応する前記ＰＳＴＮ通話用の電話番号を発信者情報に含む前記ＰＳＴＮを介した電話呼のみを受け入れ、
当該ＰＳＴＮを介した電話呼の着信を受け付けた旨を通知する情報を含む前記制御用ＩＰフレーム（受付完了通知フレーム）を前記発信側のＶｏＩＰ通信装置に送信し、
前記受付完了通知フレームを送信してから所定のタイミングの後に、前記着信側のＶｏＩＰ通信装置において前記ＩＰ通話を前記ＰＳＴＮ通話へ切り替え、
前記受付完了通知フレームを受信した前記発信側のＶｏＩＰ通信装置が、前記発信側のＶｏＩＰ通信装置において前記ＩＰ通話を前記ＰＳＴＮ通話へ切り替えることを特徴とする請求項２３又は請求項２４記載の通信方法。
【請求項２６】
それぞれの前記発信側のＶｏＩＰ通信装置と前記着信側のＶｏＩＰ通信装置が、
前記ＩＰ電話を前記ＰＳＴＮ通話に切り替えて継続している通話の送話アナログ音声信号をモニターし、当該音声信号を変換した音声パケットを含むＩＰフレームを前記ＩＰ網を介して前記発信側のＶｏＩＰ通信装置と前記着信側のＶｏＩＰ通信装置の間で送受信して、切替え後の前記ＩＰ網の通信品質を監視することを特徴とする請求項２３乃至請求項２５のいずれかの請求項記載の通信方法。
【請求項２７】
前記着信側のＶｏＩＰ通信装置における通話品質の劣化に起因して前記ＩＰ電話を前記ＰＳＴＮ通話に切り替えた場合で、前記着信側のＶｏＩＰ通信装置が前記ＩＰ網の通信品質の改善を検出した場合には、前記着信側のＶｏＩＰ通信装置が、前記ＰＳＴＮ通話を前記ＩＰ通話に切り戻す処理の実行を要求する情報を含む前記制御用ＩＰフレーム（切り戻し要求フレーム）を前記発信側のＶｏＩＰ通信装置に送信し、
前記発信側のＶｏＩＰ通信装置における通話品質の劣化に起因して前記ＩＰ電話を前記ＰＳＴＮ通話に切り替えた場合で、前記発信側のＶｏＩＰ通信装置が前記ＩＰ網の通信品質の改善を検出した場合には、前記発信側のＶｏＩＰ通信装置が、前記ＰＳＴＮ通話を前記ＩＰ通話に切り戻す準備を行うよう前記着信側のＶｏＩＰ通信装置に通知する情報を含む制御用ＩＰフレーム（切り戻し通知フレーム）を前記着信側のＶｏＩＰ通信装置に送信する
ことを特徴とする請求項２６記載の通信方法。
【請求項２８】
前記着信側のＶｏＩＰ通信装置における通話品質の劣化に起因して前記ＩＰ電話を前記ＰＳＴＮ通話に切り替えた場合で、前記着信側のＶｏＩＰ通信装置が前記ＩＰ網の通信品質の改善を検出した場合に、前記発信側のＶｏＩＰ通信装置が、前記着信側のＶｏＩＰ通信装置が送信した前記切り戻し要求フレームを受信すると、
前記発信側のＶｏＩＰ通信装置が、前記ＩＰ網の通信品質が劣化していないことを確認して前記着信側のＶｏＩＰ通信装置に前記切り戻し通知フレームを送信し、
前記切り戻し通知フレームを受信した前記着信側のＶｏＩＰ通信装置が、前記ＰＳＴＮ通話を前記ＩＰ通話へ切り戻す準備が完了した旨を伝える応答情報を含む前記制御用ＩＰフレーム（切り戻し通知応答フレーム）を送信し、
前記発信側のＶｏＩＰ通信装置が、前記切り戻し通知応答フレームを受信すると、前記ＰＳＴＮ通話を前記ＩＰ通話へ切り戻す
ことを特徴とする請求項２７記載の通信方法。
【請求項２９】
前記切り戻し要求フレームを受信したとき、前記発信側のＶｏＩＰ通信装置が前記ＩＰ網の通信品質の劣化を検出した場合には、
前記発信側のＶｏＩＰ通信装置が、前記ＰＳＴＮ通話を前記ＩＰ通話へ切り戻す処理を保留する旨を通知する情報を含む制御用ＩＰフレーム（切り戻し保留通知フレーム）を前記着信側のＶｏＩＰ通信装置に送信し、
その後、前記発信側のＶｏＩＰ通信装置が前記ＩＰ網の通信品質の劣化の改善を検出したときに、前記切り戻し通知フレームを前記着信側のＶｏＩＰ通信装置に送信することを特徴とする請求項２８記載の通信方法。
【請求項３０】
前記発信側のＶｏＩＰ通信装置が、前記着信側のＶｏＩＰ通信装置に前記切り戻し保留通知フレームを送信した以降で前記切り戻し通知フレームを送信する前に、前記着信側のＶｏＩＰ通信装置が前記ＩＰ網の通信品質の劣化を検出した場合には、
前記着信側のＶｏＩＰ通信装置が、前記ＰＳＴＮ通話を前記ＩＰ通話に切り戻す処理の中止を報告する情報を含む前記制御用ＩＰフレーム（通信品質劣化報告フレーム）を送信して当該切り戻し処理を中止し、
前記発信側のＶｏＩＰ通信装置が前記通信品質劣化報告フレームを受信して当該切り戻し処理を中止する
ことを特徴とする請求項２９記載の通信方法。
【請求項３１】
前記発信側のＶｏＩＰ通信装置における通話品質の劣化に起因して前記ＩＰ電話を前記ＰＳＴＮ通話に切り替えた場合で、前記発信側のＶｏＩＰ通信装置が前記ＩＰ網の通信品質の改善を検出した場合に、前記着信側のＶｏＩＰ通信装置が、前記発信側のＶｏＩＰ通信装置が送信した前記切り戻し通知フレームを受信すると、
前記着信側のＶｏＩＰ通信装置が、前記ＩＰ網の通信品質が劣化していないことを確認して前記ＰＳＴＮ通話を前記ＩＰ通話へ切り戻す準備が完了した旨を伝える応答情報を含む前記制御用ＩＰフレーム（切り戻し通知応答フレーム）を送信し、
前記発信側のＶｏＩＰ通信装置が、前記切り戻し通知応答フレームを受信すると、前記ＰＳＴＮ通話を前記ＩＰ通話へ切り戻す
ことを特徴とする請求項２７記載の通信方法。
【請求項３２】
前記切り戻し通知フレームを受信したときに前記着信側のＶｏＩＰ通信装置が前記ＩＰ網の通信品質の劣化を検出した場合には、
前記着信側のＶｏＩＰ通信装置が、前記ＰＳＴＮ通話を前記ＩＰ通話へ切り戻す処理を保留する旨を通知する情報を含む前記制御用ＩＰフレーム（切り戻し保留要求フレーム）を前記発信側のＶｏＩＰ通信装置に送信し、
その後、前記着信側のＶｏＩＰ通信装置が前記ＩＰ網の通信品質の劣化の改善を検出したときに、前記切り戻し要求フレームを前記発信側のＶｏＩＰ通信装置に送信することを特徴とする請求項３１記載の通信方法。
【請求項３３】
前記着信側のＶｏＩＰ通信装置が前記発信側のＶｏＩＰ通信装置に前記切り戻し保留要求フレームを送信した以降で前記切り戻し要求フレームを送信する前に、前記発信側のＶｏＩＰ通信装置が前記ＩＰ網の通信品質の劣化を検出した場合には、
前記発信側のＶｏＩＰ通信装置が、前記通信品質劣化報告フレームを送信して当該切り戻し処理を中止し、
前記着信側のＶｏＩＰ通信装置が前記通信品質劣化報告フレームを受信して当該切り戻し処理を中止する
ことを特徴とする請求項３２記載の通信方法。
【発明の詳細な説明】
【技術分野】
【０００１】
本発明は、通信システム、ＶｏＩＰ通信装置及び通信方法に関し、特に、ＩＰ網を利用して音声通信を行うＶｏＩＰ通信において、発着信のＶｏＩＰ通信装置間でＥｎｄ−ｔｏ−Ｅｎｄで通信が可能な制御用ＩＰフレームを用いて、ＩＰ通信をシステム的に制御することができる通信システム、ＶｏＩＰ通信装置及び通信方法に関するものである。
【背景技術】
【０００２】
近年、光ファイバケーブルやＣＡＴＶ等を利用したアクセス回線網の広帯域化に伴いＩＰ（Ｉｎｔｅｒｎｅｔ  Ｐｒｏｔｏｃｏｌ）網を利用して音声通信を行うＶｏＩＰ（Ｖｏｉｃｅ  ｏｖｅｒ  Ｉｎｔｅｒｎｅｔ  Ｐｒｏｔｏｃｏｌ）通信による、いわゆるＩＰ電話が普及してきている。ＶｏＩＰとは、音声通信における音声信号をディジタル化、圧縮化等して作成した音声データを所定の長さに区切ってパケット化し、インターネット等のＩＰ網を経由して音声情報を送受信する為の技術である。ＩＰ電話は、既存のＰＳＴＮ（Ｐｕｂｌｉｃ  Ｓｗｉｔｃｈｅｄ  Ｔｅｌｅｐｈｏｎｅ  Ｎｅｔｗｏｒｋ：公衆回線交換電話網）を利用した通信と同等の使用方法、安い通信コストで実現することが可能なため、特に企業間で急速に普及してきている。
【０００３】
しかし、パケット交換方式にもとづくＩＰ電話は、ＰＳＴＮを介した従来の回線交換方式のＰＳＴＮ電話に比べて劣る点がある。ＩＰ網におけるトラフィックの増加や一部経路の障害に基づくトラフィック輻輳が発生すると音声パケットの遅延や消失が起こり、それによりＩＰ電話の通話品質が劣化して音声が聞き取りにくくなったり通話が途切れたりする欠点がある。最近では、通信回線の大容量化や音声圧縮技術の進歩により、このような欠点が逐次解消されてきているが、トラフィック輻輳に起因する音声パケットの遅延や消失がすべて解決されているとは言えない。
【０００４】
このような問題を解決する為に、ＩＰ電話の通話を遮断することなく、通話品質を確保して通話を継続することを可能とするＶｏＩＰアダプタ装置が、特開２００４−１６５８１８号公報（特許文献１）に開示されている。このＶｏＩＰアダプタ装置は、ＩＰ電話における受信側のアナログ音声信号を常時監視しており、ＩＰ網のトラフィック輻輳により音声パケットの遅延や消失が発生して通話品質が劣化し、その劣化が予め設定した通話品質基準よりも大きくなった場合には、ＩＰアドレスと対応させて登録されている通信相手のＰＳＴＮにおける電話番号を用いてＰＳＴＮを介した電話呼を発信して、相手との通話をＩＰ網からＰＳＴＮを介した通話に自動的に切り替えを行う。これにより、通話品質を保ち通話を継続することが可能となる。
【０００５】
【特許文献１】特開２００４−１６５８１８号公報
【発明の開示】
【発明が解決しようとする課題】
【０００６】
しかしながら、特許文献１に開示されたＶｏＩＰアダプタ装置は、ＩＰ電話における通話品質を監視してＩＰ網からＰＳＴＮを介した通話に切り替える際に、ＩＰ電話呼を発信した発信側（ＩＰ発信側）のＶｏＩＰアダプタ装置とＩＰ電話呼が着信した着信側（ＩＰ着信側）のＶｏＩＰアダプタ装置のどちらでＰＳＴＮを介した電話呼を発信するのかについては何ら考慮がされていない。その為、ＩＰ着信側のＶｏＩＰアダプタ装置でＩＰ電話における通話品質の劣化を検出した場合には、ＩＰ着信側のＶｏＩＰアダプタ装置がＰＳＴＮを介した電話呼を発信する可能性がある。そのようになった場合、ＰＳＴＮを介した電話呼の課金は、その電話呼を発信したＩＰ着信側のＶｏＩＰアダプタ装置に対して発生するという問題がある。
【０００７】
また、特許文献１に開示されたＶｏＩＰアダプタ装置は、ＩＰ発信側のＶｏＩＰアダプタ装置とＩＰ着信側のＶｏＩＰアダプタ装置間のＥｎｄ−ｔｏ−Ｅｎｄでのシステム的な動作が明確に開示されておらず、特にＩＰ網からＰＳＴＮを介した通話への切り替えをどのようにして実現しているのかが明確でない。つまり、ＰＳＴＮを介した電話呼の発信側のＶｏＩＰアダプタ装置の一方的な動作しか開示されていない為、ＰＳＴＮを介した電話呼の着信側のＶｏＩＰアダプタ装置でＩＰ網からＰＳＴＮを介した通話への切り替えを判断することができないという問題がある。
【０００８】
本発明に係る通信システム、ＶｏＩＰ通信装置及び通信方法は、上述した問題を解決し、ＩＰ網を利用したＩＰ電話において通話品質の劣化が生じた場合に、発着信の両ＶｏＩＰ通信装置間でＥｎｄ−ｔｏ−Ｅｎｄのシステム的な制御を実行し、品質の劣化が少ないＰＳＴＮに通話を切り替えて通話品質を確保するとともにそのＰＳＴＮを介した電話呼についてもＩＰ発信側のＶｏＩＰ通信装置で常に課金することを可能とし、さらにはＩＰ網の通信品質が改善した際にはＰＳＴＮを介した通話から再度ＩＰ通話に切り戻すことができる、品質優先と経済性の両面で最適で、かつユーザーにとって合理性のある通信システム、ＶｏＩＰ通信装置及び通信方法を提供することを目的とする。
【課題を解決するための手段】
【０００９】
本発明に係る通信システム、ＶｏＩＰ通信装置、ＶｏＩＰ通信装置及び通信方法は、ＩＰ網を利用したＶｏＩＰによるＩＰ電話通信において、通信中に発着信の両ＶｏＩＰ通信装置間で送受信が可能な制御情報を含むＩＰフレームを送受信し、着信側のＶｏＩＰ通信装置が通話品質の劣化を検出した場合、ＩＰ網による通話からＰＳＴＮを介した通話へ切り替えるように指示する切り替え要求情報を含む制御用ＩＰフレームを、発信側のＶｏＩＰ通信装置に送信する。この切り替え要求ＩＰフレームを受信した発信側のＶｏＩＰ通信装置がＰＳＴＮを介した電話呼を着信側のＶｏＩＰ通信装置へ発信する。これにより、ＰＳＴＮを介した電話呼については、常に発信側のＶｏＩＰ通信装置に課金することができる。
【００１０】
具体的には、発信側のＶｏＩＰ通信装置と着信側のＶｏＩＰ通信装置のそれぞれは、制御用ＩＰフレームを送受信するとともに自装置の動作制御をこの制御用ＩＰフレームの制御情報に基づいて実行する制御用ＩＰフレーム送受信制御手段と、制御用ＩＰフレームを用いて相手装置との間で送受信したＩＰ通話用の電話番号及びＰＳＴＮ通話用の電話番号を、相手装置から受信したＩＰ通話用の電話番号及びＰＳＴＮ通話用の電話番号を、相手装置のＩＰアドレスとそれぞれ対応させて記憶するアドレス記憶手段とを備えている。そして、通話品質の劣化を検出した着信側のＶｏＩＰ通信装置が送信する、ＩＰ通話をＰＳＴＮ通話へ切り替えるように指示する切り替え要求情報を含む制御用ＩＰフレーム（切り替え要求フレーム）に基づき、発信側のＶｏＩＰ通信装置が、アドレス記憶手段に記憶された着信側のＶｏＩＰ通信装置のＩＰアドレスに対応するＰＳＴＮ通話用の電話番号を用いて、ＰＳＴＮを介した電話呼を着信側のＶｏＩＰ通信装置へ発信する。
【００１１】
また、着信側のＶｏＩＰ通信装置は、ＰＳＴＮを介した電話呼が着信した時に、発信側のＶｏＩＰ通信装置のＩＰアドレスに対応するＰＳＴＮ通話用の電話番号を発信者情報に含むＰＳＴＮを介した電話呼のみを受け入れる。そして、着信側のＶｏＩＰ通信装置は、ＰＳＴＮを介した電話呼の着信を検出すると、当該着信呼を受け付けた旨を通知する情報を含む制御用ＩＰフレーム（受付完了通知フレーム）を発信側のＶｏＩＰ通信装置に送信し、この受付完了通知フレームを送信してから所定のタイミングの後に、着信側のＶｏＩＰ通信装置における通話回路をＩＰ通話からＰＳＴＮ通話へ切り替える。一方、発信側のＶｏＩＰ通信装置は、受付完了通知フレームを受信すると発信側のＶｏＩＰ通信装置における通話回路をＩＰ通話からＰＳＴＮ通話へ切り替える。このようにして、発着信間での切り替えタイミングの同期をとったり、確実なＰＳＴＮを介した代替通話路を確保できるようにしている。
【００１２】
一方、発信側のＶｏＩＰ通信装置が通話品質の劣化を検出した場合には、発信側のＶｏＩＰ通信装置から、ＩＰ通話をＰＳＴＮ通話へ切り替える準備を行うよう着信側のＶｏＩＰ通信装置に通知する切り替え通知情報を含む制御用ＩＰフレーム（切り替え通知フレーム）を送信する。そして、着信側のＶｏＩＰ通信装置から、ＩＰ通話をＰＳＴＮ通話へ切り替える準備が完了した旨を伝える応答情報を含む制御用ＩＰフレーム（切り替え通知応答フレーム）を受信すると、着信側のＶｏＩＰ通信装置のＩＰアドレスに対応するＰＳＴＮ通話用の電話番号を用いて、ＰＳＴＮを介した電話呼を着信側のＶｏＩＰ通信装置へ発信する。
【００１３】
また、ＩＰ電話をＰＳＴＮ通話に切り替えて通話を継続している間に、当該通話の送話アナログ音声信号をモニターし、この音声信号を変換した音声パケットを含むＩＰフレームをＩＰ網を介して発信側のＶｏＩＰ通信装置と着信側のＶｏＩＰ通信装置の間で送受信することにより、その後のＩＰ網の通信品質を監視する。本構成により、ＩＰ網の通信品質が改善した場合に、安価なＩＰ通信に再度切り戻す契機を提供する。
【００１４】
着信側のＶｏＩＰ通信装置における通話品質の劣化に起因してＩＰ電話をＰＳＴＮ通話に切り替えた切り替え処理が実行された場合で、着信側のＶｏＩＰ通信装置がＩＰ網の通信品質の改善を検出した場合には、ＰＳＴＮ通話をＩＰ通話に切り戻す処理の実行を要求する情報を含む制御用ＩＰフレーム（切り戻し要求フレーム）を発信側のＶｏＩＰ通信装置に送信して切り戻し処理のトリガーをかける。そして、発信側のＶｏＩＰ通信装置における通話品質の劣化に起因して切り替え処理が実行された場合で、発信側のＶｏＩＰ通信装置がＩＰ網の通信品質の改善を検出した場合には、ＰＳＴＮ通話をＩＰ通話に切り戻す準備を行うよう着信側のＶｏＩＰ通信装置に通知する情報を含む制御用ＩＰフレーム（切り戻し通知フレーム）を着信側のＶｏＩＰ通信装置に送信して切り戻し処理のトリガーをかける。
【００１５】
着信側のＶｏＩＰ通信装置が切り戻し要求フレームを発信側のＶｏＩＰ通信装置に送信して切り戻し処理のトリガーをかけた場合には、以下の処理が実行される。
・発信側のＶｏＩＰ通信装置は、ＩＰ網の通信品質の劣化を検出していないことを確認してから、ＰＳＴＮ通話をＩＰ通話へ切り戻す準備を行うように通知する切り戻し通知フレームを着信側のＶｏＩＰ通信装置に送信する。
・着信側のＶｏＩＰ通信装置は、ＰＳＴＮ通話をＩＰ通話へ切り戻す準備が完了した旨を伝える応答情報を含む制御用ＩＰフレーム（切り戻し通知応答フレーム）を発信側のＶｏＩＰ通信装置に送信する。
・切り戻し通知応答フレームを受信した発信側のＶｏＩＰ通信装置は、ＰＳＴＮ通話をＩＰ通話へ切り戻す処理を実行する。
【００１６】
発信側のＶｏＩＰ通信装置は、ＩＰ網の通信品質を確認した際に劣化を検出した場合には、ＰＳＴＮ通話をＩＰ通話へ切り戻す処理を保留する旨を通知する情報を含む制御用ＩＰフレーム（切り戻し保留通知フレーム）を着信側のＶｏＩＰ通信装置に送信する。そして、その後、発信側のＶｏＩＰ通信装置がＩＰ網の通信品質の劣化の改善を検出したときに、切り戻し通知フレームを着信側のＶｏＩＰ通信装置に送信して切り戻し処理を進める。
【００１７】
また、切り戻し保留通知フレームを着信側のＶｏＩＰ通信装置に送信した以降で切り戻し通知フレームを着信側のＶｏＩＰ通信装置に送信する前に、着信側のＶｏＩＰ通信装置がＩＰ網の通信品質の劣化を検出すると、着信側のＶｏＩＰ通信装置が、ＰＳＴＮ通話をＩＰ通話に切り戻す処理の中止を報告する情報を含む制御用ＩＰフレーム（通信品質劣化報告フレーム）を送信してくる。発信側のＶｏＩＰ通信装置は、この制御用ＩＰフレームを受信すると切り戻し処理の実行を中止する。
【００１８】
発信側のＶｏＩＰ通信装置が切り戻し通知フレームを着信側のＶｏＩＰ通信装置に送信して切り戻し処理のトリガーをかけた場合には、以下の処理が実行される。
・着信側のＶｏＩＰ通信装置は、ＩＰ網の通信品質の劣化を検出していないことを確認し、ＰＳＴＮ通話をＩＰ通話へ切り戻す準備が完了した旨を伝える応答情報を含む切り戻し通知応答フレームを送信する。
・発信側のＶｏＩＰ通信装置は、この切り戻し通知応答フレームを受信すると、ＰＳＴＮ通話をＩＰ通話へ切り戻す処理を実行する。
【００１９】
着信側のＶｏＩＰ通信装置は、ＩＰ網の通信品質を確認した際に劣化を検出した場合には、ＰＳＴＮ通話をＩＰ通話へ切り戻す処理を保留する旨を通知する情報を含む制御用ＩＰフレーム（切り戻し保留要求フレーム）を発信側のＶｏＩＰ通信装置に送信する。そして、その後、着信側のＶｏＩＰ通信装置がＩＰ網の通信品質の劣化の改善を検出したときに、切り戻し通知応答フレームを発信側のＶｏＩＰ通信装置に送信して切り戻し処理を進める。
【００２０】
また、切り戻し保留要求フレームを発信側のＶｏＩＰ通信装置に送信した以降で切り戻し通知応答フレームを発信側のＶｏＩＰ通信装置に送信する前に、発信側のＶｏＩＰ通信装置がＩＰ網の通信品質の劣化を検出すると、発信側のＶｏＩＰ通信装置が、ＰＳＴＮ通話をＩＰ通話に切り戻す処理の中止を報告する情報を含む制御用ＩＰフレーム（通信品質劣化報告フレーム）を送信してくる。着信側のＶｏＩＰ通信装置は、この制御用ＩＰフレームを受信すると切り戻し処理の実行を中止する。
【発明の効果】
【００２１】
発着信の両ＶｏＩＰ通信装置間でＥｎｄ−ｔｏ−Ｅｎｄで制御が可能な制御用ＩＰフレームを用いているので、ＩＰ網を利用したＩＰ電話において通話品質の劣化が生じた場合に、Ｅｎｄ−ｔｏ−Ｅｎｄでのシステム的な制御を実行することができる。これにより、品質の劣化が少ないＰＳＴＮに通話を切り替えて通話品質を確保するとともにそのＰＳＴＮを介した電話呼についてもＩＰ発信側のＶｏＩＰ通信装置で常に課金することを可能とし、さらにはＩＰ網の通信品質が改善した際にはＰＳＴＮを介した通話から再度ＩＰ通話に切り戻すことができる。
【発明を実施するための最良の形態】
【００２２】
次に、本発明の実施の形態について図面を参照して詳細に説明する。
【００２３】
図1は、本発明に係る通信システムの一実施の形態を示すシステム構成図である。
【００２４】
本発明に係る通信システムは、アナログ電話機とＰＣ（Ｐｅｒｓｏｎａｌ  Ｃｏｍｐｕｔｅｒ）で構成されるＩＰ電話機１０６を、ＩＰ網１０５及びＰＳＴＮ１０４にそれぞれＩＰ回線１０３及びＰＳＴＮ回線１０２を介して接続するＶｏＩＰ通信装置１００と、アナログ電話機とＰＣで構成されるＩＰ電話機１０７を、ＩＰ網１０５及びＰＳＴＮ１０４にそれぞれＩＰ回線１０３、ＰＳＴＮ回線１０２を介して接続するＶｏＩＰ通信装置１０１で構成される。ＩＰ電話機１０６とＩＰ電話機１０７は、それぞれに接続されたＶｏＩＰ通信装置１００、ＶｏＩＰ通信装置１０１により、通常は、ＩＰ網１０５に設置されている図示しないＳＩＰ（Ｓｅｓｓｉｏｎ  Ｉｎｉｔｉａｔｉｏｎ  Ｐｒｏｔｏｃｏｌ）サーバを介したＳＩＰ呼制御によるＩＰ電話呼の設定、切断等が行われ、ＲＴＰ（Ｒｅａｌ−ｔｉｍｅ  Ｔｒａｎｓｐｏｒｔ  Ｐｒｏｔｏｃｏｌ）に従ったＶｏＩＰ通信によるＩＰ電話通信を行う。また、それぞれのＶｏＩＰ通信装置１００、１０１は、ＩＰ網におけるＩＰ電話番号とＰＳＴＮにおけるＰＳＴＮ電話番号が付与されている。
【００２５】
図２及び図３は、それぞれＶｏＩＰ通信装置１００及びＶｏＩＰ通信装置１０１の装置構成を示すブロック構成図である。どちらのＶｏＩＰ通信装置も同一の装置構成を有するので、図２を参照してＶｏＩＰ通信装置１００の装置構成を説明する。（ＶｏＩＰ通信装置１０１の装置構成に関しては、対応する参照符号を読み替えればよい。）
ＶｏＩＰ通信装置１００は、ＩＰ電話機１０６を構成するアナログ電話機を接続する電話機インターフェース部２００、ＰＳＴＮ回線１０２に接続するＰＳＴＮインターフェース部２０１、ＩＰ回線１０３に接続するＷＡＮ（Ｗｉｄｅ  Ａｒｅａ  Ｎｅｔｗｏｒｋ）インターフェース部２０２、ＩＰ電話機１０６を構成するＰＣに接続するＬＡＮ（Ｌｏｃａｌ  Ａｒｅａ  Ｎｅｔｗｏｒｋ）インターフェース部２０３の4つの外部と接続するインターフェース部を有する。
【００２６】
内部の構成としては、装置を構成する各部を制御して後述する本発明に係る処理制御を実行する主制御部２０８、ＩＰ電話通信の相手先のＰＳＴＮで付与されているＰＳＴＮ電話番号を相手先のＩＰアドレス、ＩＰ電話番号と対応させて登録管理するアドレス記憶部２０７、ＷＡＮインターフェース部２０２を介してＩＰ網１０５とＩＰフレームの送受信を行うイーサーネット周辺回路部２０９、ＩＰ電話通信に係る通信制御を司り、音声パケット／音声信号の変換を行うＶｏＩＰ周辺回路部２０６、ＰＳＴＮインターフェース部２０１を介してＰＳＴＮ１０４に対するＰＳＴＮ電話呼の発着信制御を司るＰＳＴＮ周辺回路部２０５及びＩＰ網１０５を介したＩＰ電話通信とＰＳＴＮ１０４を介したＰＳＴＮ電話通信を切替える回線切替部２０４を備えている。
【００２７】
なお、上記の構成は、本発明に係る主要構成要素を示すものであり、その他の本発明に係らない構成要素については記載及び説明を省略している。
【００２８】
また、ＩＰ電話機１０６、１０７はアナログ電話機とＰＣで構成されるとして説明しているが、アナログ電話機だけで構成されていてもかまわない。その場合には、ＶｏＩＰ通信装置におけるＬＡＮインターフェース部はなくてもかまわない。
【００２９】
上記の構成において、本発明の前提となるＩＰ電話通信を行う場合の概要動作を説明する。
【００３０】
発信側のＩＰ電話機１０６のアナログ電話機で操作された呼制御情報（例えば発呼信号、相手先電話番号）は、ＶｏＩＰ通信装置１００の電話機インターフェース部２００、回線切替部２０４を介してＶｏＩＰ周辺回路部２０６に送られ、主制御部２０８との制御のもとにＩＰ電話通信の呼制御に必要なプロトコル（本実施例では、ＳＩＰとして説明）に従ったＩＰフレームが生成されてイーサーネット周辺回路部２０９及びＷＡＮインターフェース部２０２を介してＩＰ網１０５の図示しないＳＩＰサーバに送信される。
【００３１】
一方、着信側のＶｏＩＰ通信装置１０１では、ＩＰ網１０５の図示しないＳＩＰサーバから送信された呼制御のＩＰフレーム（例えば呼び出し要求）をＷＡＮインターフェース部３０２、イーサーネット周辺回路部３００を介して主制御部３０８で受信すると、ＶｏＩＰ周辺回路部３０６との制御のもとにＩＰ電話機１０７のアナログ電話機を制御する情報に変換して回線切替部３０４を介して電話機インターフェース部３００に送る。また同時に、主制御部３０８、ＶｏＩＰ周辺回路部３０６は、呼び出し中の旨の呼制御情報を含むＩＰフレームをイーサーネット周辺回路部３００及びＷＡＮインターフェース部３０２を介してＩＰ網１０５の図示しないＳＩＰサーバに返送する。
【００３２】
以上の動作により、着信側のＶｏＩＰ通信装置１０１の電話機インターフェース部３００は、ＩＰ電話機１０７（アナログ電話機）の呼び出し音を鳴動させる指示を出す。また、発信側のＶｏＩＰ通信装置１００では、着信側が呼び出し中である旨の呼制御情報を含むＩＰフレームをＳＩＰサーバから受信すると、電話機インターフェース部２００からＩＰ電話機１０６のアナログ電話機に対して呼び出し音（リングバックトーン）を送出する。
【００３３】
ＩＰ電話機１０７が応答すると、呼び出し成功の旨の呼制御情報を含むＩＰフレームが上記と同様に着信側のＶｏＩＰ通信装置１０１からＩＰ網１０５の図示しないＳＩＰサーバを介して発信側のＶｏＩＰ通信装置１００に送信され、さらに、その了解情報が発信側のＶｏＩＰ通信装置１００からＩＰ網１０５の図示しないＳＩＰサーバを介して着信側のＶｏＩＰ通信装置１０１に返送されることによりＩＰ電話機１０６とＩＰ電話機１０７による通話状態になる。
【００３４】
通話状態になると、Ｅｎｄ−ｔｏ−Ｅｎｄで送受信される音声パケットを含むＩＰフレームに関し、それぞれのＶｏＩＰ通信装置１００、１０１のＶｏＩＰ周辺回路部２０６、３０６が音声信号／音声パケットの変換処理を行い、主制御部２０８との制御のもとにＩＰフレームの組立／分解が行われる。また、音声パケットはＲＴＰに従って送受信が制御される。
【００３５】
なお、発信側のＶｏＩＰ通信装置１００ではＩＰ電話通信の発呼情報を受信した以降、また着信側のＶｏＩＰ通信装置１０１ではＳＩＰサーバからの呼制御ＩＰフレーム（例えば呼び出し要求）を受信した以降は、ＰＳＴＮ１０４を介したＰＳＴＮ通信の着信呼を受け付けないようにするために、それぞれの主制御部２０８、３０８は、ＰＳＴＮ周辺回路部２０５、３０５に対してＰＳＴＮインターフェース部２０１、３０１から閉塞信号をＰＳＴＮ１０４に送信するように指示している。つまり、ＷＡＮインターフェース部２０２、３０２を介したＩＰ電話通信を開始した場合には、ＰＳＴＮインターフェース部２０１、３０１を閉塞してＰＳＴＮからの電話呼着信による二重接続が発生しないようにしている。
【００３６】
次に本発明の実施例の動作を図４に示すシーケンス図に沿って詳細に説明する。
【００３７】
なお、本発明は、ＩＰ網１０５によるＩＰ電話通信が確立してそれぞれのＶｏＩＰ通信装置１００、１０１間でＥｎｄ−ｔｏ−Ｅｎｄによる音声パケットを含むＩＰフレームの送受信の開始時又は送受信中に、制御情報を含むＩＰフレームをそれぞれのＶｏＩＰ通信装置１００、１０１間で送受信することを特徴とする。この制御情報を含むＩＰフレームは、ＶｏＩＰ通信装置１００、１０１の主制御部２０８、３０８において生成及び解釈されて、主制御部２０８、３０８による各内部構成装置の制御に使われる。従って、例えばＵＤＰ（Ｕｓｅｒ  Ｄａｔａｇｒａｍ  Ｐｒｏｔｏｃｏｌ）ヘッダに音声パケットと区別する識別情報を付与することにより制御情報パケットを生成し、ＩＰフレームに組み立ててＩＰ網１０５を介した送受信が可能となる。以降の説明においては、このＩＰフレームを制御用ＩＰフレームと称する。
【００３８】
図４において、ステップ４００からステップ４０１は、上述したＳＩＰサーバを用いた呼制御により発信側のＶｏＩＰ通信装置１００と着信側のＶｏＩＰ通信装置１０１がＩＰ網１０５を介してＩＰ電話通信の状態になることを簡便に示したものである。
【００３９】
ＩＰ網１０５を介したＩＰ電話通信が確立すると、発信側のＶｏＩＰ通信装置１００は、自装置に付与されたＩＰ電話番号１００Ａ及びＰＳＴＮ電話番号１００Ｂを含む上述の制御用ＩＰフレームを、ＩＰ網１０５を経由して着信側のＶｏＩＰ通信装置１０１に送信する（ステップ４０２）。
【００４０】
この制御用ＩＰフレームを受信した着信側のＶｏＩＰ通信装置１０１は、主制御装置３０８において内容を解釈し、受信した発信側のＶｏＩＰ通信装置１００のＩＰ電話番号１００Ａ及びＰＳＴＮ電話番号１００Ｂを、呼設定時にＳＩＰサーバから通知された発信側のＶｏＩＰ通信装置１００のＩＰアドレスとそれぞれ対応させてアドレス記憶部３０７に登録する（ステップ４０３）。
【００４１】
また、着信側のＶｏＩＰ通信装置１０１は、発信側のＶｏＩＰ通信装置１００から受信した制御用ＩＰフレームの応答として、自装置のＩＰ電話番号１０１Ａ及びＰＳＴＮ電話番号１０１Ｂを含む制御用ＩＰフレームを生成してＩＰ網１０５を経由して発信側のＶｏＩＰ通信装置１００に送信する（ステップ４０４）。
【００４２】
そして、発信側のＶｏＩＰ通信装置１００は、主制御装置２０８において内容を解釈し、受信した着信側のＶｏＩＰ通信装置１０１のＩＰ電話番号１０１Ａ及びＰＳＴＮ電話番号１０１Ｂを、呼設定時にＳＩＰサーバから通知された着信側のＶｏＩＰ通信装置１０１のＩＰアドレスとそれぞれ対応させてアドレス記憶部２０７に登録する（ステップ４０５）。
【００４３】
なお、図６は、それぞれのＶｏＩＰ通信装置１００、１０１がＩＰ電話番号及びＰＳＴＮ電話番号を制御用ＩＰフレームを用いて相互に通知して、アドレス記憶部２０７、３０７にそれらを記憶する様子を概念的に示した模式図である。
【００４４】
それぞれのＶｏＩＰ通信装置１００、１０１に付与されたＩＰ電話番号及びＰＳＴＮ電話番号の相互通知が完了すると、それぞれのＶｏＩＰ通信装置１００、１０１はＩＰ電話機を通話状態に設定して、ＩＰ電話機１０６とＩＰ電話機１０７によるＩＰ網１０５を介したＩＰ電話通信を開始する（ステップ４０６）。
【００４５】
なお、本実施の形態では説明の便宜上でＩＰ電話番号とＰＳＴＮ電話番号の相互通知を通話開始に先立って実施する場合を説明したが、ＩＰ電話番号とＰＳＴＮ電話番号の相互通知は通話開始前に限られることなく、通話中に実施するものであってもかまわない。ただし、通話開始後の早い時期に実施することが好ましい。
【００４６】
ＩＰ電話通信中の音声パケットを含むＩＰフレームの通信品質（ＩＰフレームの遅延や消失）は、ＶｏＩＰ通信装置の主制御部が常時監視する。そして、ＩＰ電話通信における通話品質を判定する為に、所定の通信品質基準を予め登録している。つまり、本発明においては、ＩＰ電話の通話品質をＩＰ網におけるＩＰフレームの通信品質と関連付けて判定するようにしている。
【００４７】
ＩＰ電話通信中にＩＰ網１０５におけるトラフィック輻輳により、ＩＰフレームの遅延や消失が発生し、着信側のＶｏＩＰ通信装置１０１の主制御部３０８が通信品質の劣化を検出したとする。
【００４８】
着信側のＶｏＩＰ通信装置１０１の主制御部３０８は、監視している通信品質が劣化して、登録している通信品質基準よりもその劣化が大きくなったことを検出すると、ＩＰ電話の通話品質を維持するために、現在の通話をＩＰ網１０５経由ではなく通信品質が保証されている回線交換網であるＰＳＴＮ１０４を介した通話に切替えることを、発信側のＶｏＩＰ通信装置１００に要求する。
【００４９】
具体的には、着信側のＶｏＩＰ通信装置１０１の主制御部３０８は、ＩＰ網１０５によるＩＰ電話通信からＰＳＴＮ１０４を介したＰＳＴＮ通話への切り替えを、通信相手の発信側のＶｏＩＰ通信装置１００に実行してもらう。その為に、その旨の情報を含む制御用ＩＰフレーム（切り替え要求フレーム）を生成して、ＩＰ網１０５を経由して、発信側のＶｏＩＰ通信装置１００に送信する(ステップ４０７)。また、このとき主制御部３０８は、ＰＳＴＮ通信による着信呼を受け付けるために、ＩＰ電話通信の開始時に閉塞したＰＳＴＮインターフェース部３０１の閉塞を解除する。つまり、主制御部３０８はＰＳＴＮ周辺回路部３０５に指示して、ＰＳＴＮインターフェース部３０１からＰＳＴＮ１０４に送信していた閉塞信号を停止させる。
【００５０】
着信側のＶｏＩＰ通信装置１０１から切り替え要求フレームを受信した発信側のＶｏＩＰ通信装置１００の主制御部２０８は、切り替え要求フレームから識別できる通信相手先のＩＰアドレスに基づき、アドレス記憶部２０７に通信相手のＩＰアドレスと対応して登録してある着信側のＶｏＩＰ通信装置１０１に付与されているＰＳＴＮ電話番号１０１Ｂを読み出す。そして、ＰＳＴＮ周辺回路部２０６に対してこのＰＳＴＮ電話番号１０１Ｂを用いたＰＳＴＮ通話呼をＰＳＴＮ１０４に発信するように指示する（ステップ４０８）。
【００５１】
ＰＳＴＮ通話呼の発信指示を受けたＰＳＴＮ周辺回路部２０５は、主制御部２０８から指示された着信側のＶｏＩＰ通信装置１０１のＰＳＴＮ電話番号１０１Ｂを使用して、ＰＳＴＮインターフェース部２０１を介して、ＰＳＴＮ１０４に電話呼を発信する(ステップ４０９)。
【００５２】
また、ＰＳＴＮ周辺回路部２０６にＰＳＴＮ１０４へのＰＳＴＮ通話呼を発信するように指示した発信側のＶｏＩＰ通信装置１００の主制御部２０８は、着信側のＶｏＩＰ通信装置１０１に対して、切り替え要求に従ってＰＳＴＮ１０４を介したＰＳＴＮ通話呼を発信した旨を通知する情報を含む制御用ＩＰフレーム（ＰＳＴＮ発信通知フレーム）を送信する（ステップ４１０）。
【００５３】
発信側のＶｏＩＰ通信装置１００から発信されたＰＳＴＮ通話呼は、前述のように、着信側のＶｏＩＰ通信装置１０１では、ＰＳＴＮ１０４に対するＰＳＴＮインターフェース部３０１の閉塞を解除しているので、着信側のＶｏＩＰ通信装置１０１に着信する。
【００５４】
このとき、着信側のＶｏＩＰ通信装置１０１では、発信側のＶｏＩＰ通信装置１００から発信されたＩＰ電話通信の切り替えを目的としたＰＳＴＮ通話呼のみを着信させる必要がある。そのため、着信側のＶｏＩＰ通信装置１０１では、ＰＳＴＮインターフェース部３０１に着信したＰＳＴＮ通話呼に対して発信者番号識別を行う。
【００５５】
着信側のＶｏＩＰ通信装置１０１の主制御部３０８は、ＰＳＴＮインターフェース部３０１を介してＰＳＴＮ周辺回路部３０５で受信したＰＳＴＮ通話呼の着信呼情報に含まれる発信者情報（発信者のＰＳＴＮ電話番号）を、ＩＰ電話通信確立時にアドレス記憶部３０７に記憶したＩＰ電話通信の相手先のＶｏＩＰ通信装置１００に付与されているＰＳＴＮ電話番号と比較して、一致する場合にのみ、その着信したＰＳＴＮ通話呼を受け付ける制御を行う。
【００５６】
また、発信側のＶｏＩＰ通信装置１００から送信されたＰＳＴＮ発信通知フレームを受信していることをＰＳＴＮ通話呼の着信条件に加えても良い。
【００５７】
発信側のＶｏＩＰ通信装置１００から発信されたＰＳＴＮ通話呼を、ＰＳＴＮインターフェース部３０１、ＰＳＴＮ周辺回路部３０５を介して受信すると、着信側のＶｏＩＰ通信装置１０１の主制御部３０８は、制御用ＩＰフレーム（受付完了通知フレーム）を、発信側のＶｏＩＰ通信装置１００へ送信する(ステップ４１１)。この受付完了通知フレームは、発信側のＶｏＩＰ通信装置１００が発呼した代替通話用のＰＳＴＮ電話着信を受け付けて、発信側のＶｏＩＰ通信装置１００と着信側のＶｏＩＰ通信装置１０１との間にＰＳＴＮを介した代替通話路が形成された旨を通知する情報である。
【００５８】
受付完了通知フレームを受信した発信側のＶｏＩＰ通信装置１００の主制御部２０８は、回線切替部２０４の接続をＩＰ網１０５経由の接続からＰＳＴＮインターフェース部２０１を介したＰＳＴＮ１０４経由の接続への切り替えを行う。
【００５９】
また、着信側のＶｏＩＰ通信装置１０１の主制御部３０８は、受付完了通知フレームを送信後、ＲＴＰの送受信周期で予測できる遅延時間の経過後に、回線切替部３０４の接続を、ＩＰ網１０５経由の接続からＰＳＴＮインターフェース部３０１を介したＰＳＴＮ１０４経由の接続への切り替えを行う。このことは、ＲＴＰに従った音声パケットを含むＩＰフレームは、10ms/20msの周期で送受信を繰り返しているので、着信側のＶｏＩＰ通信装置１０１では、受付完了通知フレームを送信後、どの位の遅延時間の後に、発信側のＶｏＩＰ通信装置１００が受付完了通知フレームを受信するか把握していることを意味している。
【００６０】
これにより、発信側のＶｏＩＰ通信装置１００と着信側のＶｏＩＰ通信装置１０１が同期して通話回線をＩＰ網１０５経由からＰＳＴＮ１０４経由に切り替えることができ、ユーザーに対する切り替えの違和感もなく通話品質を維持した通話を継続することができる（ステップ４１２）。
【００６１】
このように、本発明に係る通信システムは、通信品質の劣化を着信側のＶｏＩＰ通信装置１０１で検出したとしても、着信側のＶｏＩＰ通信装置１０１はＰＳＴＮ通話への切り替えを発信側のＶｏＩＰ通信装置１００に要求し、ＰＳＴＮ通話呼は発信側のＶｏＩＰ通信装置１００から発信されるので、常に発信側のＶｏＩＰ通信装置１００に対してのみ課金が可能なＶｏＩＰ通信システムを実現することができる。
【００６２】
なお、上述の説明は、ＩＰ電話通信中の通信品質の劣化を着信側のＶｏＩＰ通信装置１０１で検出した場合であっても、常に発信側のＶｏＩＰ通信装置１００で課金が行われるようにＰＳＴＮ通話呼を発信する観点から説明した。
【００６３】
次に、ＩＰ電話通信中の通信品質の劣化を発信側のＶｏＩＰ通信装置１００が検出した場合について図５に示すシーケンス図に沿って説明する。なお、この場合は、発信側のＶｏＩＰ通信装置１００が主体的にＰＳＴＮ通話呼を発信するので、そのＰＳＴＮ通話呼に対する課金は当然のことながら発信側のＶｏＩＰ通信装置１００に対してなされる。
【００６４】
図５は、図４を参照して説明したＩＰ電話通信の確立（ステップ４０１）及びそれぞれのＶｏＩＰ通信装置１００、１０１相互間でＩＰ電話番号、ＰＳＴＮ電話番号の通知を行い（ステップ４０２、４０４）、それらの情報がアドレス記憶部２０７、３０７に登録する動作（ステップ４０３、４０５）が完了して、ＩＰ網１０５を介した通話中の動作（ステップ４０６）からのシーケンスを示している。
【００６５】
発信側のＶｏＩＰ通信装置１００の主制御部２０８で監視している通信品質が劣化して、登録している通信品質基準よりもその劣化が大きくなったことを検出すると、（ステップ５０１）、主制御部２０８は、通話品質を維持するために、現在の通話をＩＰ網１０５経由ではなく通信品質が保証されている回線交換網であるＰＳＴＮ１０４を介した通話に切替えることを、着信側のＶｏＩＰ通信装置１０１に通知する。具体的には、発信側のＶｏＩＰ通信装置１００の主制御部２０８は、ＩＰ網１０５によるＩＰ電話通信からＰＳＴＮ１０４を介したＰＳＴＮ通話への切り替え準備を、通信相手の着信側のＶｏＩＰ通信装置１０１に実行してもらう為に、その旨の情報を含む制御用ＩＰフレーム（切り替え通知フレーム）を生成して、ＩＰ網１０５を経由して、着信側のＶｏＩＰ通信装置１０１に送信する(ステップ５０２)。
【００６６】
この切り替え通知フレームを受信した着信側のＶｏＩＰ通信装置１０１の主制御部３０８は、ＰＳＴＮ着信呼が受信できるようにＰＳＴＮインターフェース部３０１の閉塞状態を解除する指示をＰＳＴＮ周辺回路部３０６に送る（ステップ５０３）。ＰＳＴＮインターフェース部３０１の閉塞解除を指示した主制御部３０８は、ＰＳＴＮ着信の準備が完了した旨の情報を含む制御用ＩＰフレーム（切り替え通知応答フレーム）を発信側のＶｏＩＰ通信装置１００に送信する（ステップ５０４）。
【００６７】
以降の動作は、図４におけるステップ４０８以降の動作と同じである。
【００６８】
発信側のＶｏＩＰ通信装置１００の主制御装置２０８は、切り替え通知応答フレームを受信すると、通信相手先のＩＰアドレスに基づき、アドレス記憶部２０７に通信相手のＩＰアドレスと対応して登録してある着信側のＶｏＩＰ通信装置１０１のＰＳＴＮ電話番号１０１Ｂを読み出し、ＰＳＴＮ周辺回路部２０６に対してこのＰＳＴＮ電話番号１０１Ｂを用いたＰＳＴＮ通話呼をＰＳＴＮ１０４に発信するように指示する（ステップ５０６）。
【００６９】
ＰＳＴＮ通話呼の発信指示を受けたＰＳＴＮ周辺回路部２０５は、主制御部２０８から指示されたＰＳＴＮ電話番号１０１Ｂを使用して、ＰＳＴＮインターフェース部２０１を介して、ＰＳＴＮ１０４に電話呼を発信する(ステップ５０７)。
【００７０】
また、ＰＳＴＮ周辺回路部２０６にＰＳＴＮ１０４へのＰＳＴＮ通話呼を発信するように指示した発信側のＶｏＩＰ通信装置１００の主制御部２０８は、着信側のＶｏＩＰ通信装置１０１に対して、ＰＳＴＮ１０４を介したＰＳＴＮ通話呼を発信した旨を通知する情報を含む制御用ＩＰフレーム（ＰＳＴＮ発信通知フレーム）を送信する（ステップ５０８）。
【００７１】
発信側のＶｏＩＰ通信装置１００から発信されたＰＳＴＮ通話呼は、図４を参照して説明したように、着信側のＶｏＩＰ通信装置１０１のＰＳＴＮインターフェース部３０１に着信し、着信したＰＳＴＮ通話呼の着信呼情報に含まれる発信者のＰＳＴＮ電話番号が、ＩＰ電話通信確立時にアドレス記憶部３０７に記憶したＩＰ電話通信の相手先のＶｏＩＰ通信装置１００のＰＳＴＮ電話番号と一致する場合にのみ、着信呼として受け付けられる。
【００７２】
そして、着信側のＶｏＩＰ通信装置１０１の主制御部３０８は、ＰＳＴＮ通話呼の着信を認識したことを通知する制御用ＩＰフレーム（受付完了通知フレーム）を、発信側のＶｏＩＰ通信装置１００へ送信する(ステップ５０９)。
【００７３】
受付完了通知フレームを受信した発信側のＶｏＩＰ通信装置１００の主制御部２０８は、回線切替部２０４の接続をＩＰ網１０５経由の接続からＰＳＴＮインターフェース部２０１を介したＰＳＴＮ１０４経由の接続への切り替えを行う。
【００７４】
また、着信側のＶｏＩＰ通信装置１０１の主制御部３０８は、受付完了通知フレームを送信後、ＲＴＰの送受信周期で予測できる遅延時間の経過後に、回線切替部３０４の接続を、ＩＰ網１０５経由の接続からＰＳＴＮインターフェース部３０１を介したＰＳＴＮ１０４経由の接続への切り替えを行う。
【００７５】
これにより、発信側のＶｏＩＰ通信装置１００と着信側のＶｏＩＰ通信装置１０１が同期して通話回線をＩＰ網１０５経由からＰＳＴＮ１０４経由に切り替えることができ、ユーザーに対する切り替えの違和感もなく通話品質を維持した通話を継続することができる（ステップ５１０）。
【００７６】
以上に説明したように、本発明に係る通信システムは、ＩＰ網１０５によるＩＰ電話通信が確立してそれぞれのＶｏＩＰ通信装置１００、１０１間でＥｎｄ−ｔｏ−Ｅｎｄによる音声パケットを含むＩＰフレームの送受信の開始時又は送受信中に、制御情報を含む制御用ＩＰフレームをそれぞれのＶｏＩＰ通信装置１００、１０１間で送受信することができる。そのため、ＩＰ電話通信中に通信品質の劣化を検出すると、切り替え要求フレームまたは切り替え通知フレームを相手ＶｏＩＰ通信装置に送信することにより、発信側のＶｏＩＰ通信装置１００が、ＰＳＴＮ通話呼を発信してＩＰ通話をＰＳＴＮ通話に切替えて通話を継続することができる。そのため、たとえ着信側のＶｏＩＰ通信装置１０１において通信品質の劣化を検出した場合であっても、発信側のＶｏＩＰ通信装置１００がＰＳＴＮ通話呼を発信してＩＰ通話をＰＳＴＮ通話に切替えるので、着信側のＶｏＩＰ通信装置１０１に対して課金されることはない。
【００７７】
このように、本発明に係る通信システムは、品質優先型で、かつユーザーにとって合理性のあるＶｏＩＰ通信システムを実現することができる。
【００７８】
以上の説明においては、ＩＰ通話の品質が劣化した場合にＰＳＴＮ通話に切り替える制御について説明した。切り替え後のＩＰ網１０５を介したＩＰ電話通信路は切断してもかまわない。その場合には、発信側のＶｏＩＰ通信装置１００は、図示しないＳＩＰサーバに呼制御のＩＰフレーム（切断要求）を送信することにより、ＳＩＰサーバから着信側のＶｏＩＰ通信装置１０１に対して同じく呼制御ＩＰフレームにより切断指示が出され、規定のプロトコルに従ってＩＰ電話通信路は切断される。そして、以降の通話はＰＳＴＮ１０４を介したＰＳＴＮ通話となる。
【００７９】
しかし、本発明の通信システムは、ＰＳＴＮ通話に移行した後においてＩＰ通信の品質が回復した場合に、ＰＳＴＮ通話を再度ＩＰ通話に切り替えることができるようにＩＰ電話通信路をそのまま保留しておくこともできる。すなわち、経済性に優れたＩＰ電話通信を極力利用することにより、品質優先と経済性の両面で最適な通信システムを実現することができる。以下にその実施例を説明する。
【００８０】
ＩＰ通信の品質が回復した場合にＰＳＴＮ通話を再度ＩＰ通話に切り替えるためには、ＩＰ網１０５を介したＩＰ電話通信路を保留して、常時その通信品質を監視している必要がある。そのため、本発明に係る通信システムは、それぞれのＶｏＩＰ通信装置１００、１０１間において音声パケットの送受信を継続する。
【００８１】
ＶｏＩＰ通信装置１００、１０１間において送受信される音声パケットは、ＩＰフレームの送受信による通信品質の監視を目的とするために送受信されるのであって、実際の通信には使用されない。そのため、それぞれのＶｏＩＰ通信装置１００、１０１の主制御部２０８、３０８間で終端させたダミー音声パケットを送受信する方法でもかまわない。つまり、ＰＳＴＮ通話に切替えた以降は、それぞれのＶｏＩＰ周辺回路２０６、３０６の機能を停止させて、主制御部２０８、３０８においてダミー音声パケットを含むＩＰフレームを生成して送信し、また、受信したダミー音声パケットを廃棄する制御を実行する。この方法を採用すると、ＶｏＩＰ周辺回路における音声パケット／音声信号の変換が不要になり、それだけＶｏＩＰ通信装置全体の処理負荷は軽減される。
【００８２】
しかし、ここでは、ＩＰ通話への切り戻しの制御を比較的容易に行うことができる、実際の音声パケットを継続して送受信する方法について説明する。
【００８３】
それぞれのＶｏＩＰ通信装置１００、１０１の回線切替部２０４、３０４は、電話機インターフェース部２００、３００と接続されている音声信号路を切替えるだけでなく、送信側音声信号の信号路は、ＰＳＴＮインターフェース部２０１、３０１に切替えると同時に、分岐された信号路により送信側音声信号がＶｏＩＰ周辺回路２０６、３０６に送信されるようになっている。また、ＶｏＩＰ周辺回路２０６、３０６で音声パケット／音声信号変換された受信側音声信号の信号路は、ＰＳＴＮ通話への切り替え後は、回線切替部２０４、３０４の中で擬似受話回路で終端される。
【００８４】
図７は、回線切替部２０４、３０４の上記関連回路構成を概念的に示すブロック図である。
【００８５】
電話機インターフェース部２００、３００と接続された送信側音声信号路は分岐回路７０１により２方路に分けられており、ＩＰ通話時はＶｏＩＰ周辺回路２０６、３０６にのみ送信側音声信号が送出される。そして、ＩＰ通話からＰＳＴＮ通話に切替える指示が主制御部２０８、３０８からなされると、切替回路７０２によりＰＳＴＮインターフェース部２０１、３０１にも送信側音声信号が送出される構成となっている。
【００８６】
また、ＶｏＩＰ周辺回路２０６、３０６で音声パケット／音声信号変換された受信側音声信号の信号路は、ＩＰ通話時は電話機インターフェース部２００、３００と接続されている。そして、ＩＰ通話からＰＳＴＮ通話に切替える指示が主制御部２０８、３０８からなされると、切替回路７０２によりＶｏＩＰ周辺回路からの受信側音声信号の信号路は擬似受話回路で終端され、ＰＳＴＮインターフェース部２０１、３０１からの受信側音声信号の信号路が電話機インターフェース部２００、３００と接続される。
【００８７】
回線切替部２０４、３０４が以上のように構成されているので、ＰＳＴＮ通話に切替えられた以降においてもＶｏＩＰ通信装置１００、１０１間の通話音声は、ＶｏＩＰ周辺回路２０６、３０６で音声パケット／音声信号変換されてＩＰフレームによりＩＰ網１０５を介して送受信される。そして、実際の通話には使用されないので、それぞれのＶｏＩＰ通信装置１００、１０１で受信した音声パケットは音声信号に変換された後に回線切替部２０４、３０４の擬似受話回路７０３において終端される。
【００８８】
上述した構成をとるので、それぞれのＶｏＩＰ通信装置１００、１０１の主制御部２０８、３０８はＰＳＴＮ通話中においても、保留されているＩＰ網１０５を介して送受信されるＩＰフレームの遅延や消失による通信品質を常時監視することができる。
【００８９】
次に、主制御部２０８、３０８で通信品質を監視した結果、ＩＰ網１０５の通信品質が改善されことを検出した場合の動作を説明する。ＩＰ網１０５の通信品質が予め定めたＩＰ網１０５への復帰条件を満たす通信品質となり、かつその状態が予め定めた時間継続することにより、ＩＰ網１０５の通信品質が改善されたものとして検出する。
【００９０】
ＩＰ網１０５の通信品質の劣化に起因してＰＳＴＮ１０４に通話を切替えた場合、再度ＩＰ網１０５に通話を切り戻す条件として、ＩＰ網１０５において送信側音声及び受信側音声の通話品質が確保されていることを条件とする。そのため、着信側のＶｏＩＰ通信装置１０１の切り替え要求に基づいて通話をＰＳＴＮ１０４に切替えた場合には、着信側のＶｏＩＰ通信装置１０１からの切り戻し要求を受けるとともに発信側のＶｏＩＰ通信装置１００で監視している通信品質を確認する。また、発信側のＶｏＩＰ通信装置１００が通信品質の劣化を検出して通話をＰＳＴＮ１０４に切替えた場合には、着信側のＶｏＩＰ通信装置１０１で監視している通話品質を確認する。
【００９１】
ＰＳＴＮ通話への切り替え後、ＩＰ通話に切り戻す動作の詳細を図８〜１３を参照して説明する。なお、図中における各フレームは、前述したそれぞれのＶｏＩＰ通信装置１００、１０１間のＥｎｄ−ｔｏ−Ｅｎｄで送受信され、それぞれの主制御部２０８、３０８で生成され内容を解釈される制御情報を含む制御用ＩＰフレームである。
【００９２】
図８〜１０は、着信側のＶｏＩＰ通信装置１０１の切り替え要求に基づいて通話をＰＳＴＮ１０４に切替えた場合における切り戻し動作のシーケンス図、発信側のＶｏＩＰ通信装置１００の動作フローチャート及び着信側のＶｏＩＰ通信装置１０１の動作フローチャートである。また、図９〜１１は、発信側のＶｏＩＰ通信装置１００が通信品質の劣化を検出して通話をＰＳＴＮ１０４に切替えた場合おける切り戻し動作のシーケンス図、発信側のＶｏＩＰ通信装置１００の動作フローチャート及び着信側のＶｏＩＰ通信装置１０１の動作フローチャートである。
【００９３】
まず、図８〜１０を参照して、着信側のＶｏＩＰ通信装置１０１の切り替え要求に基づいて通話をＰＳＴＮ１０４に切替えた場合における切り戻し動作について説明する。また、図８は（ａ）〜（ｃ）の３通りの動作を示す。
【００９４】
図８（ａ）のステップ８００及びステップ８０１は、上述した動作によりＩＰ通話からＰＳＴＮ通話に切り替わった以降のＰＳＴＮ通話と、ＩＰ網１０５の通信品質監視の目的で行われているＩＰ通信（モニターした音声パケットを含むＩＰフレームの送受信）を示している。このような状態において、通信品質を監視していた着信側のＶｏＩＰ通信装置１０１において、ＩＰ網１０５の通信品質の改善を検出したものとする（ステップ８０２）。
【００９５】
なお、各ＶｏＩＰ通信装置１００、１０１は、ＩＰ通話からＰＳＴＮ通話への切り替えがどちらの要求により実行されたかということを記憶している。つまり、着信側のＶｏＩＰ通信装置１０１が通信品質の劣化を検出して切り替え要求を行ったことによる切替えか、それとも発信側のＶｏＩＰ通信装置１００が通信品質の劣化を検出して切替えたものかを記憶している。そして、切替えの主体になったＶｏＩＰ通信装置が切り戻しのトリガーをかけるものとしている。
【００９６】
従って、ＰＳＴＮ通話中のＩＰ網１０５の通信品質監視中において、切替えの主体でなかったＶｏＩＰ通信装置において通信品質の劣化を検出したり、また、それが改善されたりしたとしても、切り戻しのトリガーがかけられていない場合には何も動作を行わない。例えば、着信側のＶｏＩＰ通信装置１０１が通信品質の劣化を検出して切り替え要求を行ったことに起因してＰＳＴＮ通話に切り替わった場合、そのＰＳＴＮ通話中のＩＰ網１０５の通信品質監視において、発信側のＶｏＩＰ通信装置１００で通信品質の劣化を検出したとしても、切り戻しのトリガーがかけられていない状態であれば、それを着信側のＶｏＩＰ通信装置１０１に通知するということはしない。従って、その後に発信側のＶｏＩＰ通信装置１００で通信品質の改善を検出したとしても同様である。
【００９７】
従って、図８の場合、着信側のＶｏＩＰ通信装置１０１の切り替え要求に基づいて通話をＰＳＴＮ１０４に切替えた場合における切り戻し動作のシーケンス図なので、着信側のＶｏＩＰ通信装置１０１が切り戻しのトリガーをかけている。そして、着信側のＶｏＩＰ通信装置１０１は、ＩＰ網１０５の通信品質の改善に伴い、現在接続されているＰＳＴＮ通話をＩＰ通話に切り戻すことを要求する情報を含む制御用ＩＰフレーム（切り戻し要求フレーム）を発信側のＶｏＩＰ通信装置１００に対して送信する（ステップ８０３）。
【００９８】
切り戻し要求フレームを受信した発信側のＶｏＩＰ通信装置１００は、自装置で監視している通信品質に劣化の検出が無いことを確認すると（ステップ８０４）、ＰＳＴＮ通話からＩＰ通話への切り戻しを実行する旨を通知する制御用ＩＰフレーム（切り戻し通知フレーム）を着信側のＶｏＩＰ通信装置１０１に送信して、ＩＰ通話への切り戻し準備を指示する（ステップ８０５）。
【００９９】
発信側のＶｏＩＰ通信装置１００から切り戻し通知フレームを受信した着信側のＶｏＩＰ通信装置１０１は、ＩＰ通話への切り戻し準備を行い（ステップ８０６）、その準備が完了した旨を通知する制御用ＩＰフレーム（切り戻し通知応答フレーム）を発信側のＶｏＩＰ通信装置１００に送信する（ステップ８０７）。
【０１００】
ここでＩＰ通話への切り戻し準備とは、切り戻し通知応答フレームを発信側のＶｏＩＰ通信装置１００に送信してから一定のタイミングの後に回線切替部３０４のＰＳＴＮ通話からＩＰ通話への切り替えを実行することと、ＰＳＴＮインターフェース部３０１でＰＳＴＮ回線の切断信号を検出したらＰＳＴＮ回線を閉塞することをＰＳＴＮ周辺回路部３０５に指示することである。従って、回線切替部３０４の切り替えが実行されると、回線切替部３０４では、図７を参照して説明したように、ＰＳＴＮインターフェース部３０１への接続が切り離され、ＶｏＩＰ周辺回路部３０６からの受信側の音声信号路が擬似受話回路７０３から切り離されて電話機インターフェース部３００に接続される。
【０１０１】
一方、切り戻し通知応答フレームを受信すると、発信側のＶｏＩＰ通信装置１００は、自装置においてＩＰ通話への切り戻し処理を行う（ステップ８０８）。
【０１０２】
発信側のＶｏＩＰ通信装置１００における切り戻し処理は、回線切替部２０４のＰＳＴＮ通話からＩＰ通話への切り替えを実行することと、ＰＳＴＮインターフェース部２０１でＰＳＴＮ回線の切断信号を送出すること及びその後にＰＳＴＮ回線を閉塞することをＰＳＴＮ周辺回路部２０５に指示することである。
【０１０３】
上述した処理が完了すると、ＩＰ通話状態（ステップ８０９）になりＰＳＴＮ通話は切断される（ステップ８１０）。
【０１０４】
以上に説明したように、切り戻し処理は、既に準備されている通話路を切替えて、片方の通話路を切断する処理である。切り替え処理の場合は、ＰＳＴＮ通話路の設定の際にＰＳＴＮ発信通知フレームと受付完了通知フレームを送受信して切替え制御を実行していたが、切り戻し処理の通話路の切断に当たっての準備、実行は切り戻し通知フレームとその応答フレームにより制御されている。そのため、通話路の切断の際の制御用ＩＰフレームの送受信は特に必要なものとしている。
【０１０５】
次に、図８（ｂ）を参照して、着信側のＶｏＩＰ通信装置１０１から切り戻し要求フレームを受信した発信側のＶｏＩＰ通信装置１００において、自装置で監視している通信品質に劣化を検出した場合の動作について説明する。この場合には、ＩＰ通話に切り戻したとしても、発信側のＶｏＩＰ通信装置１００において通話品質が悪くなるので切り戻しの意味がなくなる。そこで、切り戻しの処理は一時保留される。
【０１０６】
着信側のＶｏＩＰ通信装置１０１から送信された切り戻し要求フレーム（ステップ８０３）を受信した発信側のＶｏＩＰ通信装置１００は、自装置で監視している通信品質の劣化の有無を確認する。ここで通信品質の劣化を検出した場合（ステップ８２０）、発信側のＶｏＩＰ通信装置１００は、要求された切り戻し処理を保留する旨を通知する制御用ＩＰフレーム（切り戻し保留通知フレーム）を着信側のＶｏＩＰ通信装置１０１に送信する。
【０１０７】
切り戻し保留通知フレームを受信した着信側のＶｏＩＰ通信装置１０１は、発信側のＶｏＩＰ通信装置１００からの次の通知を受信するまで待つ。この待っている間においても、着信側のＶｏＩＰ通信装置１０１は、自装置における通信品質の監視を継続している。
【０１０８】
そのうちに発信側のＶｏＩＰ通信装置１００において監視している通信品質に改善がみられ、ＩＰ通話への切り戻しが可能になったと判断すると（ステップ８２１）、発信側のＶｏＩＰ通信装置１００は、ＰＳＴＮ通話からＩＰ通話への切り戻しを実行する旨を通知する制御用ＩＰフレーム（切り戻し通知フレーム）を着信側のＶｏＩＰ通信装置１０１に送信して、ＩＰ通話への切り戻し準備を指示する（ステップ８０５）。以降の動作は、図８（ａ）のステップ８０６以降の動作と同じなので説明を割愛する。
【０１０９】
このように、着信側のＶｏＩＰ通信装置１０１から切り戻し要求を受けたとしても、発信側のＶｏＩＰ通信装置１００において通信品質の劣化を検出している限りにおいてはＩＰ通話への切り戻しは行わない。
【０１１０】
次に、図８（ｃ）を参照して、上述した切り戻しの保留中に着信側のＶｏＩＰ通信装置１０１で監視している通信品質に劣化を検出した場合の動作を説明する。
【０１１１】
図８（ｂ）で説明したように、着信側のＶｏＩＰ通信装置１０１から切り戻し要求を受けても、発信側のＶｏＩＰ通信装置１００において通信品質の劣化を検出した場合は（ステップ８２０）、切り戻し保留通知フレームを着信側のＶｏＩＰ通信装置１０１に送信（ステップ８２１）して切り戻しを保留する。この保留中においても、着信側のＶｏＩＰ通信装置１０１は、自装置における通信品質の監視を継続している。
【０１１２】
切り戻しの保留中に着信側のＶｏＩＰ通信装置１０１が通信品質の劣化を検出すると（ステップ８３０）、発信側のＶｏＩＰ通信装置１００で通信品質が改善したとしても、ＩＰ通話への切り戻しを行う意味がなくなる。そこで、着信側のＶｏＩＰ通信装置１０１は、監視中の通信品質に劣化が生じた旨を報告する制御用ＩＰフレーム（通信品質劣化報告フレーム）を発信側のＶｏＩＰ通信装置１００に送信する（ステップ８３１）。
【０１１３】
通信品質劣化報告フレームは、トリガーをかけたＩＰ通話への切り戻し処理を中止することを意味する。そこで、通信品質劣化報告フレームを送信した着信側のＶｏＩＰ通信装置１０１及び通信品質劣化報告フレームを受信した発信側のＶｏＩＰ通信装置１００のそれぞれにおいて、ＩＰ通話への切り戻し処理を中止する（ステップ８３０、ステップ８３２）。
【０１１４】
切り戻し処理を中止した以降は、それぞれのＶｏＩＰ通信装置１００、１０１ではＩＰ通信の品質監視状態に戻る。
【０１１５】
以上に説明した、着信側のＶｏＩＰ通信装置１０１の切り替え要求に基づいて通話をＰＳＴＮ１０４に切替えた場合における切り戻し処理における発信側のＶｏＩＰ通信装置１００の動作を図９に、着信側のＶｏＩＰ通信装置１０１の動作を図１０に、それぞれフローチャートで示す。
【０１１６】
図９は、図８で説明した切り戻し処理における発信側のＶｏＩＰ通信装置１００の動作を示すフローチャートである。
【０１１７】
図９において、着信側のＶｏＩＰ通信装置１０１から切り戻し要求フレームを受信すると（ステップ９００）、自装置で監視している受信品質の良否を確認する（ステップ９０１）。
【０１１８】
自装置で監視している受信品質が良好であることを確認すると（ステップ９０１：ＹＥＳ）、切り戻し通知フレームを着信側のＶｏＩＰ通信装置１０１に送信する（ステップ９０２）。着信側のＶｏＩＰ通信装置１０１からの応答を待ち（ステップ９０３）、着信側のＶｏＩＰ通信装置１０１から切り戻し通知応答フレームを受信すると（ステップ９０３：ＹＥＳ）、着信側のＶｏＩＰ通信装置１０１におけるＩＰ通話への切り戻し準備が完了したことを知り、自装置におけるＩＰ通話への切り戻し処理を図８（ａ）で説明したように実行する（ステップ９０４）。
【０１１９】
一方、図８（ｂ）で説明したように、自装置で監視している受信品質の良否を確認した際に、それが劣化していることを検出すると（ステップ９０１：ＮＯ）、着信側のＶｏＩＰ通信装置１０１に切り戻し保留通知フレームを送信して切り戻し処理の一時保留を通知する（ステップ９０５）。その後、自装置における受信品質の改善状況を監視する（ステップ９０６）。
【０１２０】
自装置における受信品質の改善を検出すると（ステップ９０６：ＹＥＳ）、保留していた切り戻し処理を続行するために、ステップ９０２に戻って切り戻し通知フレームを着信側のＶｏＩＰ通信装置１０１に送信する。以降の処理は上述のとおりである。
【０１２１】
また、自装置における受信品質の改善状況の監視中は、着信側のＶｏＩＰ通信装置１０１からの劣化報告の有無を確認している（ステップ９０７）。もし、この監視中に着信側のＶｏＩＰ通信装置１０１から劣化報告を受けた場合は（ステップ９０７：ＹＥＳ）、切り戻し処理を中止する。この処理は図８（ｃ）で説明したものに対応する。
【０１２２】
同様に、図１０のフローチャートを参照して図８で説明した切り戻し処理における着信側のＶｏＩＰ通信装置１０１の動作を説明する。
【０１２３】
図１０において、着信側のＶｏＩＰ通信装置１０１は、自装置が監視している受信品質の改善を検出すると（ステップ１０００）、切り戻し要求フレームを発信側のＶｏＩＰ通信装置１００に送信して（ステップ１００１）、ＩＰ通話への切り戻し処理のトリガーをかける。
【０１２４】
発信側のＶｏＩＰ通信装置１００の判断による次の指示を待つ（ステップ１００２）。発信側のＶｏＩＰ通信装置１００から送信された通知が切り戻し通知フレームであった場合（ステップ１００３：ＹＥＳ）は、切り戻し処理が行われるので、図８で説明したように、自装置におけるＩＰ通話への切り戻し準備を行い、発信側のＶｏＩＰ通信装置１００に切り戻し通知応答フレームを送信する（ステップ１００４）。
【０１２５】
そして、切り戻し通知応答フレームを送信してから一定のタイミングの後に回線切替部３０４におけるＩＰ通話への切り戻しを行い、また、ＰＳＴＮ通話の切断を検出したときにＰＳＴＮ回線の閉塞を行う（ステップ１００５）。以上の動作が図８（ａ）の処理に対応する。
【０１２６】
一方、発信側のＶｏＩＰ通信装置１００から送信された通知が切り戻し保留通知フレームであった場合（ステップ１００３：ＮＯ）は、切り戻し処理を保留して発信側のＶｏＩＰ通信装置１００から切り戻し通知フレームが送出されるのを待つ（ステップ１００６）。切り戻し処理の保留中は、自装置における受信品質が良好に保たれていることを監視する（ステップ１００７）。
【０１２７】
発信側のＶｏＩＰ通信装置１００から切り戻し通知フレームが送出されると（ステップ１００６：ＹＥＳ）、ステップ１００４に戻って切り戻し処理を再開する。以上の動作が図８（ｂ）の処理に対応する。
【０１２８】
もし、切り戻し処理保留中に自装置における受信品質の劣化を検出した場合は（ステップ１００７：ＮＯ）、切り戻し処理を中止するために通信品質劣化報告フレームを発信側のＶｏＩＰ通信装置１００に送信する（ステップ１００８）。通信品質劣化報告フレームの送信／受信でそれぞれのＶｏＩＰ通信装置１００、１０１は、切り戻し処理を中止する。この動作が図８（ｃ）の処理に対応する。
【０１２９】
続いて、図１１〜１３を参照して、発信側のＶｏＩＰ通信装置１００が通信品質の劣化を検出したことに起因して通話をＰＳＴＮ１０４に切替えた場合における切り戻し動作について説明する。また、図１１は（ａ）〜（ｃ）の３通りの動作を示す。
【０１３０】
図１１（ａ）のステップ１１００及びステップ１１０１は、前述した動作によりＩＰ通話からＰＳＴＮ通話に切り替わった以降のＰＳＴＮ通話と、ＩＰ網１０５の通信品質監視の目的で行われているＩＰ通信を示している。このような状態において、通信品質を監視していた発信側のＶｏＩＰ通信装置１００において、ＩＰ網１０５の通信品質の改善を検出したものとする（ステップ１１０２）。つまりこの場合は、発信側のＶｏＩＰ通信装置１００が主体となって通話をＰＳＴＮ１０４に切替えたので、発信側のＶｏＩＰ通信装置１００が切り戻しのトリガーをかける。
【０１３１】
発信側のＶｏＩＰ通信装置１００は、ＩＰ網１０５の通信品質の改善に伴い、現在接続されているＰＳＴＮ通話をＩＰ通話に切り戻すことを通知する情報を含む制御用ＩＰフレーム（切り戻し通知フレーム）を着信側のＶｏＩＰ通信装置１０１に対して送信して（ステップ１１０３）、ＩＰ通話に切り戻す処理準備を行うことを指示する。
【０１３２】
切り戻し通知フレームを受信した着信側のＶｏＩＰ通信装置１０１は、自装置で監視している通信品質に劣化の検出が無いことを確認して、ＩＰ通話に切り戻す処理準備を行う（ステップ１１０４）。そして、準備が完了した旨を通知する制御用ＩＰフレーム（切り戻し通知応答フレーム）を発信側のＶｏＩＰ通信装置１００に送信する（ステップ１１０５）。ＩＰ通話に切り戻す処理準備については前述のとおりなので説明を割愛する。
【０１３３】
また、切り戻し通知応答フレームを受信した発信側のＶｏＩＰ通信装置１００においてＩＰ通話への切り戻し処理が行われ（ステップ１１０６）、ＩＰ通話が再開されて（ステップ１１０７）、ＰＳＴＮ通話が切断される（ステップ１１０８）処理は図８での説明と同様なので説明を割愛する。
【０１３４】
図１１（ｂ）及び図１１（ｃ）は、それぞれ図８（ｂ）及び図８（ｃ）に対応する。
【０１３５】
図１１（ｂ）は、切り戻しのトリガーをかけた発信側のＶｏＩＰ通信装置１００からの切り戻し通知フレームを受信した際に、着信側のＶｏＩＰ通信装置１０１において受信品質の劣化を検出した場合（ステップ１１２０）の処理である。この場合は、着信側のＶｏＩＰ通信装置１０１から切り戻し保留要求フレームを発信側のＶｏＩＰ通信装置１００に送信して（ステップ１１２１）、自装置における受信品質が改善するまで切り戻し処理の一時保留を要求する。自装置における受信品質が改善すると（ステップ１１２２）、着信側のＶｏＩＰ通信装置１０１から切り戻し要求フレームを発信側のＶｏＩＰ通信装置１００に送信して（ステップ１１２３）切り戻し処理を再開させる。
【０１３６】
図１１（ｃ）は、受信品質の劣化を検出して切り戻し処理の一時保留を要求した着信側のＶｏＩＰ通信装置１０１が自装置における受信品質の改善を待っている間に、切り戻しのトリガーをかけた発信側のＶｏＩＰ通信装置１００における通信品質劣化の検出（ステップ１１３０）により、発信側のＶｏＩＰ通信装置１００が通信品質劣化報告フレームを送信して（ステップ１１３１）、着信側のＶｏＩＰ通信装置１０１に切り戻し処理の中止を通知する処理である。
【０１３７】
図１１に説明した、発信側のＶｏＩＰ通信装置１００が通信品質の劣化を検出したことに起因して通話をＰＳＴＮ１０４に切替えた場合における切り戻し処理における発信側のＶｏＩＰ通信装置１００の動作と、着信側のＶｏＩＰ通信装置１０１の動作をそれぞれ図１２、１３に示す。
【０１３８】
図１２は、図１１で説明した切り戻し処理における発信側のＶｏＩＰ通信装置１００の動作を示すフローチャートである。また、図１３は、図１１で説明した切り戻し処理における着信側のＶｏＩＰ通信装置１０１の動作を示すフローチャートである。
【０１３９】
図１２において、通信品質の改善を検出した（ステップ１２００）発信側のＶｏＩＰ通信装置１００は、切り戻し通知フレームを着信側のＶｏＩＰ通信装置１０１に送信して（ステップ１２０１）、ＰＳＴＮ通話をＩＰ通話に切り戻すことを通知する。
【０１４０】
着信側のＶｏＩＰ通信装置１０１からの応答を待って（ステップ１２０２）、着信側のＶｏＩＰ通信装置１０１におけるＩＰ通話に切り戻す処理準備の完了通知である切り戻し通知応答フレームを受信すると（ステップ１２０３）、ＩＰ通話への切り戻し処理を行う（ステップ１２０４）。
【０１４１】
また、着信側のＶｏＩＰ通信装置１０１からの応答が切り戻し保留要求フレームであった場合は、着信側のＶｏＩＰ通信装置１０１からの切り戻し要求フレームの受信を待つ。着信側のＶｏＩＰ通信装置１０１からの切り戻し要求フレームの受信を待つ間は、自装置における受信品質を監視している（ステップ１２０５）。
【０１４２】
着信側のＶｏＩＰ通信装置１０１から切り戻し要求フレームを受信すると（ステップ１２０５：ＹＥＳ）、以降の処理は図９のステップ９００と同じになる。
【０１４３】
また、着信側のＶｏＩＰ通信装置１０１からの切り戻し要求フレームの受信を待っている間に自装置の受信品質の劣化を検出すると（ステップ１２０５：ＮＯ）、切り戻し処理を中止することを通知する通信品質劣化報告フレームを着信側のＶｏＩＰ通信装置１０１に送信して（ステップ１２０７）処理を終了する。
【０１４４】
図１３において、発信側のＶｏＩＰ通信装置１００から切り戻し通知フレームを受信（ステップ１３００）した着信側のＶｏＩＰ通信装置１０１は、自装置における受信品質が良好である場合は（ステップ１３０１：ＹＥＳ）、切り戻し通知応答フレームの返送と（ステップ１３０２）、ＩＰ通話への切り戻し関連処理（ステップ１３０３）を実行する。
【０１４５】
また、着信側のＶｏＩＰ通信装置１０１は、自装置における受信品質の監視において劣化を検出した場合（ステップ１３０１：ＮＯ）、発信側のＶｏＩＰ通信装置１００に対して切り戻し処理の保留を要求する切り戻し保留要求フレームを送信する（ステップ１３０４）。そして、自装置の受信品質の改善を監視する（ステップ１３０５）。
【０１４６】
自装置の受信品質が改善されると（ステップ１３０５：ＹＥＳ）、着信側のＶｏＩＰ通信装置１０１は、図１０のステップ１００１の処理に移行して切り戻し要求フレームを発信側のＶｏＩＰ通信装置１００に送信する。以降の動作は、図１０と同じになる。
【０１４７】
また、自装置の受信品質の改善を監視している最中に発信側のＶｏＩＰ通信装置１００から通信品質劣化報告フレームを受信（ステップ１３０６：ＹＥＳ）すると処理を終了する。
【０１４８】
以上に説明したように、本発明の通信システムは、ＰＳＴＮ通話に移行した後においてもＩＰ電話通信路をそのまま保留しておき、ＩＰ電話通信路では擬似的に音声パケットを含むＩＰフレームを送受信することによりＩＰ網１０５の通信品質を常時監視している。そして、この常時監視によりＩＰ網１０５の通信品質の回復を検出した場合には、送受信双方の通信品質を確認した上でＰＳＴＮ通話を再度ＩＰ通話に切り替えることができる。そのため、経済性に優れたＩＰ電話通信を極力利用することができ、品質優先と経済性の両面で最適な通信システムを実現することができる。
【０１４９】
なお、上述した実施の形態において、ＶｏＩＰ通信装置をそれに接続されるアナログ電話機と別装置として説明したが、ＶｏＩＰ通信機能とアナログ電話機能が合体されて構成され、ＩＰ網インターフェース部とＰＳＴＮインターフェース部を有するＩＰ電話機に対しても本発明が適用されることは言うまでも無い。
【図面の簡単な説明】
【０１５０】
【図１】図1は、本発明に係る通信システムの一実施の形態を示すシステム構成図である。
【図２】図２は、発信側のＶｏＩＰ通信装置の装置構成を示すブロック構成図である。
【図３】図３は、着信側のＶｏＩＰ通信装置の装置構成を示すブロック構成図である。
【図４】図４は、着信側のＶｏＩＰ通信装置が通信品質の劣化を検出してＰＳＴＮ通話の切り替えを発信側のＶｏＩＰ通信装置に要求する動作を示すシーケンス図である。
【図５】図５は、発信側のＶｏＩＰ通信装置が通信品質の劣化を検出してＰＳＴＮ通話に切替える動作を示すシーケンス図である。
【図６】図６は、それぞれのＶｏＩＰ通信装置がＩＰ電話番号及びＰＳＴＮ電話番号を制御用ＩＰフレームを用いて相互に通知して、アドレス記憶部にそれらを記憶する様子を概念的に示した模式図である。
【図７】図７は、回線切替部の回路構成を概念的に示すブロック図である。
【図８】図８は、着信側のＶｏＩＰ通信装置の切り替え要求に基づいて通話をＰＳＴＮに切替えた場合におけるＩＰ通話への切り戻し動作を示すシーケンス図である。
【図９】図９は、図８で説明した切り戻し処理における発信側のＶｏＩＰ通信装置の動作を示すフローチャートである。
【図１０】図１０は、図８で説明した切り戻し処理における着信側のＶｏＩＰ通信装置の動作を示すフローチャートである。
【図１１】図１１は、発信側のＶｏＩＰ通信装置が通信品質の劣化を検出したことに起因して通話をＰＳＴＮに切替えた場合におけるＩＰ通話への切り戻し動作を示すシーケンス図である。
【図１２】図１２は、図１１で説明した切り戻し処理における発信側のＶｏＩＰ通信装置の動作を示すフローチャートである。
【図１３】図１３は、図１１で説明した切り戻し処理における着信側のＶｏＩＰ通信装置の動作を示すフローチャートである。
【符号の説明】
【０１５１】
１００、１０１    ＶｏＩＰ通信装置
１０２    ＰＳＴＮ回線
１０３    ＩＰ回線
１０４    ＰＳＴＮ
１０５    ＩＰ網
１０６、１０７    ＩＰ電話機
２００、３００    電話機インターフェース部
２０１、３０１    ＰＳＴＮインターフェース部
２０２、３０２    ＷＡＮインターフェース部
２０３、３０３    ＬＡＮインターフェース部
２０４、３０４    回線切替部
２０５、３０５    ＰＳＴＮ周辺回路部
２０６、３０６    ＶｏＩＰ周辺回路部
２０７、３０７    アドレス記憶部
２０８、３０８    主制御部
２０９、３０９    イーサーネット周辺回路部
７０１    分岐回路
７０２    切替回路
７０３    擬似受話回路
【図１】
2008160308.tif 000003
【図２】
2008160308.tif 000004
【図３】
2008160308.tif 000005
【図４】
2008160308.tif 000006
【図５】
2008160308.tif 000007
【図６】
2008160308.tif 000008
【図７】
2008160308.tif 000009
【図８】
2008160308.tif 000010
【図９】
2008160308.tif 000011
【図１０】
2008160308.tif 000012
【図１１】
2008160308.tif 000013
【図１２】
2008160308.tif 000014
【図１３】
2008160308.tif 000015